(57)【要約】【課題】無線通信システムにおける複数の放送管理メッセージの同時送信を支援するための装置及び方法を提供する。【解決手段】本発明による無線通信システムにおける基地局が放送管理メッセージの送信を支援するための方法は、送信が要求される一つ以上の放送管理メッセージを生成する過程と、サブフレーム内の既定の位置に基づいて予め決定された個数のＡ−ＭＡＰ  ＩＥを放送Ａ−ＭＡＰ  ＩＥから構成する過程と、を含み、ここで、放送Ａ−ＭＡＰ  ＩＥは、生成された一つ以上の放送管理メッセージを送信するための放送バーストの割り当て情報を含むことを特徴とする。【選択図】図４
2010288275.tif 000002
【特許請求の範囲】
【請求項１】
無線通信システムにおける基地局が放送管理メッセージの送信を支援するための方法であって、
送信が要求される一つ以上の放送管理メッセージを生成する過程と、
サブフレーム内の既定の位置に基づいて予め決定された個数のＡ−ＭＡＰ  ＩＥを放送Ａ−ＭＡＰ  ＩＥから構成する過程と、を含み、
前記放送Ａ−ＭＡＰ  ＩＥは、前記生成された一つ以上の放送管理メッセージを送信するための放送バーストの割り当て情報を含むことを特徴とする方法。
【請求項２】
前記サブフレーム内の既定の位置に基づいて予め決定された個数のＡ−ＭＡＰ  ＩＥは、サブフレームのＡ−ＭＡＰ領域内のユーザ−特定フィールドに含まれる複数のＡ−ＭＡＰ  ＩＥのうち、第１番目のＡ−ＭＡＰ  ＩＥであることを特徴とする請求項１に記載の方法。
【請求項３】
送信が要求される一つ以上の放送管理メッセージが存在するか否かを検査する過程と、
前記送信が要求される一つ以上の放送管理メッセージが存在しないと判断される場合、前記サブフレーム内の全体Ａ−ＭＡＰ  ＩＥをユニキャストＡ−ＭＡＰ  ＩＥから構成する過程と、をさらに含み、
前記ユニキャストＡ−ＭＡＰ  ＩＥは、送信するデータパケットを送信するためのデータバーストの割り当て情報を含むことを特徴とする請求項１に記載の方法。
【請求項４】
既定の放送用ＳＴＩＤを使用して、前記放送Ａ−ＭＡＰ  ＩＥをスクランブルする過程と、
前記スクランブルされた放送Ａ−ＭＡＰ  ＩＥを端末に送信する過程と、をさらに含むことを特徴とする請求項１に記載の方法。
【請求項５】
前記放送Ａ−ＭＡＰ  ＩＥは、前記放送バーストの位置及びサイズに対する情報、前記放送Ａ−ＭＡＰ  ＩＥのエラー有無を把握するためのＣＲＣ情報、放送管理メッセージの種類に対する情報のうち、少なくとも一つを含み、
前記放送管理メッセージの種類に対する情報は、各放送管理メッセージのサブフレーム内の存在有無を指示するための各々のビット、又は各放送管理メッセージのサブフレーム内の存在有無を指示するためのビットマップであることを特徴とする請求項１に記載の方法。
【請求項６】
前記放送管理メッセージは、前記放送管理メッセージの長さを表すＧＭＨ（Ｇｅｎｅｒｉｃ  ＭＡＣ  Ｈｅａｄｅｒ）を含むことを特徴とする請求項１に記載の方法。
【請求項７】
無線通信システムにおける端末が放送管理メッセージを受信するための方法であって、
既定の放送用ＳＴＩＤを使用して、サブフレーム内の既定の位置に基づいて予め決定された個数のＡ−ＭＡＰ  ＩＥをディスクランブルすることによって、放送Ａ−ＭＡＰ  ＩＥの検出を試みる過程と、
前記放送Ａ−ＭＡＰ  ＩＥが検出される場合、前記検出された放送Ａ−ＭＡＰ  ＩＥを基盤にサブフレーム内から一つ以上の放送管理メッセージを抽出する過程と、を含み、
前記放送Ａ−ＭＡＰ  ＩＥは、前記一つ以上の放送管理メッセージを送信するための放送バーストの割り当て情報を含むことを特徴とする方法。
【請求項８】
前記サブフレーム内の既定の位置に基づいて予め決定された個数のＡ−ＭＡＰ  ＩＥは、サブフレームのＡ−ＭＡＰ領域内のユーザ−特定フィールドに含まれる複数のＡ−ＭＡＰ  ＩＥのうち、第１番目のＡ−ＭＡＰ  ＩＥであることを特徴とする請求項７に記載の方法。
【請求項９】
前記放送Ａ−ＭＡＰ  ＩＥが検出されない場合、端末固有のＳＴＩＤを使用して前記Ａ−ＭＡＰ  ＩＥをディスクランブルすることによって、ユニキャストＡ−ＭＡＰ  ＩＥの検出を試みる過程をさらに含むことを特徴とする請求項７に記載の方法。
【請求項１０】
前記放送Ａ−ＭＡＰ  ＩＥは、前記放送バーストの位置及びサイズに対する情報、前記放送Ａ−ＭＡＰ  ＩＥのエラー有無を把握するためのＣＲＣ情報、放送管理メッセージの種類に対する情報のうち、少なくとも一つを含み、
前記放送管理メッセージの種類に対する情報は、各放送管理メッセージのサブフレーム内の存在有無を指示するための各々のビット、又は各放送管理メッセージのサブフレーム内の存在有無を指示するためのビットマップであることを特徴とする請求項７に記載の方法。
【請求項１１】
前記放送管理メッセージは、前記放送管理メッセージの長さを表すＧＭＨを含むことを特徴とする請求項７に記載の方法。
【請求項１２】
無線通信システムにおける基地局が放送管理メッセージの送信を支援するための装置であって、
送信が要求される一つ以上の放送管理メッセージを生成する放送管理メッセージ生成器と、
サブフレーム内の既定の位置に基づいて予め決定された個数のＡ−ＭＡＰ  ＩＥを放送Ａ−ＭＡＰ  ＩＥから構成するＡ−ＭＡＰメッセージ生成器と、を備え、
前記放送Ａ−ＭＡＰ  ＩＥは、前記生成された一つ以上の放送管理メッセージを送信するための放送バーストの割り当て情報を含むことを特徴とする装置。
【請求項１３】
前記サブフレーム内の既定の位置に基づいて予め決定された個数のＡ−ＭＡＰ  ＩＥは、サブフレームのＡ−ＭＡＰ領域内のユーザ−特定フィールドに含まれる複数のＡ−ＭＡＰ  ＩＥのうち、第１番目のＡ−ＭＡＰ  ＩＥであることを特徴とする請求項１２に記載の装置。
【請求項１４】
前記Ａ−ＭＡＰメッセージ生成器は、
送信が要求される一つ以上の放送管理メッセージが存在するか否かを検査し、
前記送信が要求される一つ以上の放送管理メッセージが存在しないと判断される場合、前記サブフレーム内の全体Ａ−ＭＡＰ  ＩＥをユニキャストＡ−ＭＡＰ  ＩＥから構成し、
前記ユニキャストＡ−ＭＡＰ  ＩＥは、送信するデータパケットを送信するためのデータバーストの割り当て情報を含むことを特徴とする請求項１２に記載の装置。
【請求項１５】
前記Ａ−ＭＡＰメッセージ生成器は、
既定の放送用ＳＴＩＤを使用して前記放送Ａ−ＭＡＰ  ＩＥをスクランブルすることを特徴とする請求項１２に記載の装置。
【請求項１６】
前記放送Ａ−ＭＡＰ  ＩＥは、前記放送バーストの位置及びサイズに対する情報、前記放送Ａ−ＭＡＰ  ＩＥのエラー有無を把握するためのＣＲＣ情報、放送管理メッセージの種類に対する情報のうち、少なくとも一つを含み、
前記放送管理メッセージの種類に対する情報は、各放送管理メッセージのサブフレーム内の存在有無を指示するための各々のビット、又は各放送管理メッセージのサブフレーム内の存在有無を指示するためのビットマップであることを特徴とする請求項１２に記載の装置。
【請求項１７】
前記放送管理メッセージは、前記放送管理メッセージの長さを表すＧＭＨを含むことを特徴とする請求項１２に記載の装置。
【請求項１８】
無線通信システムにおける端末が放送管理メッセージを受信するための装置であって、
既定の放送用ＳＴＩＤを使用して、サブフレーム内の既定の位置に基づいて予め決定された個数のＡ−ＭＡＰ  ＩＥをディスクランブルすることによって、放送Ａ−ＭＡＰ  ＩＥの検出を試みるＡ−ＭＡＰメッセージ解析器と、
前記放送Ａ−ＭＡＰ  ＩＥが検出される場合、該検出された放送Ａ−ＭＡＰ  ＩＥを基盤にサブフレーム内から一つ以上の放送管理メッセージを抽出する放送管理メッセージ処理器と、を備え、
前記放送Ａ−ＭＡＰ  ＩＥは、前記一つ以上の放送管理メッセージを送信するための放送バーストの割り当て情報を含むことを特徴とする装置。
【請求項１９】
前記サブフレーム内の既定の位置に基づいて予め決定された個数のＡ−ＭＡＰ  ＩＥは、サブフレームのＡ−ＭＡＰ領域内のユーザ−特定フィールドに含まれる複数のＡ−ＭＡＰ  ＩＥのうち、第１番目のＡ−ＭＡＰ  ＩＥであることを特徴とする請求項１８に記載の装置。
【請求項２０】
前記Ａ−ＭＡＰメッセージ解析器は、
前記放送Ａ−ＭＡＰ  ＩＥが検出されない場合、端末固有のＳＴＩＤを使用して前記Ａ−ＭＡＰ  ＩＥをディスクランブルすることによって、ユニキャストＡ−ＭＡＰ  ＩＥの検出を試みることを特徴とする請求項１８に記載の装置。
【請求項２１】
前記放送Ａ−ＭＡＰ  ＩＥは、前記放送バーストの位置及びサイズに対する情報、前記放送Ａ−ＭＡＰ  ＩＥのエラー有無を把握するためのＣＲＣ情報、放送管理メッセージの種類に対する情報のうち、少なくとも一つを含み、
前記放送管理メッセージの種類に対する情報は、各放送管理メッセージのサブフレーム内の存在有無を指示するための各々のビット、又は各放送管理メッセージのサブフレーム内の存在有無を指示するためのビットマップであることを特徴とする請求項１８に記載の装置。
【請求項２２】
前記放送管理メッセージは、前記放送管理メッセージの長さを表すＧＭＨを含むことを特徴とする請求項１８に記載の装置。
【発明の詳細な説明】
【技術分野】
【０００１】
本発明は、無線通信システムにおける複数の放送管理メッセージの同時送信を支援するための装置及び方法に関し、特に、無線通信システムにおけるトラフィック指示メッセージとページング広告メッセージとの同時送信を支援するための装置及び方法に関する。
【背景技術】
【０００２】
次世代通信システムである４世代通信システム（４ｔｈ  Ｇｅｎｅｒａｔｉｏｎ；以下、４Ｇと略称する）では、約１００Ｍｂｐｓの送信速度を有する多様なサービス品質（Ｑｕａｌｉｔｙ  ｏｆ  Ｓｅｒｖｉｃｅ；以下、ＱｏＳと略する）をユーザに提供するための研究が盛んに行われている。特に、現在４Ｇ通信システムでは、無線近距離通信ネットワーク（Ｌｏｃａｌ  Ａｒｅａ  Ｎｅｔｗｏｒｋ；以下、ＬＡＮと略称する）システム及び無線メトロポリタンエリアネットワーク（Ｍｅｔｒｏｐｏｌｉｔａｎ  Ａｒｅａ  Ｎｅｔｗｏｒｋ；以下、ＭＡＮと略称する）システムのような広帯域無線アクセス（Ｂｒｏａｄｂａｎｄ  Ｗｉｒｅｌｅｓｓ  Ａｃｃｅｓｓ；ＢＷＡ）通信システムに移動性とＱｏＳとを保証する形態で高速サービスを支援するようにする研究が盛んに行われており、その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６通信システムである。
【０００３】
図１は、一般的なＩＥＥＥ  ８０２．１６ｍシステムのフレーム構造を示す図である。
【０００４】
図１に示すように、ＩＥＥＥ  ８０２．１６ｍフレーム構造は、スーパーフレーム１００、フレーム１０２、サブフレーム１０４の階層的な（ｈｉｅｒａｒｃｈｉｃａｌ）構造を有している。２０ｍｓｅｃ周期のスーパーフレーム１００は、それぞれ５ｍｓｅｃ周期の４個のフレーム１０２から構成され、各フレーム１０２は、８個のサブフレーム１０４から構成され、各サブフレーム１０４は、複数（例えば、ステップ６個）のＯＦＤＭＡシンボル（図示せず）から構成される。前記８個のサブフレーム１０４のうち、前に位置した複数（例えば、５個）のサブフレームからダウンリンク（Ｄｏｗｎｌｉｎｋ：ＤＬ）区間が構成され、残り（例えば、３個）のサブフレームからアップリンク（Ｕｐｌｉｎｋ：ＵＬ）区間が構成される。ここで、ダウンリンク区間とアップリンク区間とは、８個のサブフレーム１０４をいくつ対いくつにするかによって変わる。ダウンリンク区間の詳細構造については、後の図２にて述べる。
【０００５】
図２は、通常のＩＥＥＥ  ８０２．１６ｍシステムの詳細フレーム構造を示す図である。
【０００６】
図２に示すように、ダウンリンク区間の上部には、サブフレームごとにあるいは２個のサブフレームごとにＡ（ａｄｖａｎｃｅｄ）−ＭＡＰ領域（ｒｅｇｉｏｎ）２００、２０４が存在し、Ａ−ＭＡＰ領域２００、２０４は、大きく非−ユーザ−特定フィールドとユーザ−特定フィールドとから構成される。その中で、非−ユーザ−特定フィールドよりＡ−ＭＡＰ領域２００、２０４のサイズを指示するための情報２１０が送信され、端末は、Ａ−ＭＡＰ領域２００、２０４のサイズ指示情報２１０を介して、サブフレーム内でＡ−ＭＡＰ領域２００、２０４の境界（ｂｏｕｎｄａｒｙ）を把握することができる。また、ユーザ−特定フィールドよりＡ−ＭＡＰ  ＩＥ２１２、２１４が送信され、サブフレーム内のＡ−ＭＡＰ領域２００、２０４を除いた残りの領域に、制御メッセージ（シグナルリングメッセージ）あるいはトラフィックを送信するための、少なくとも一つのダウンリンクデータバースト２０２、２０６、２０８が割り当てられる。サブフレームでのデータバースト２０２、２０６、２０８の割り当ては、該当サブフレーム内のＡ−ＭＡＰ  ＩＥ２１２、２１４によりなされる。ここで、Ａ−ＭＡＰ  ＩＥ２１２、２１４は、対応するデータバースト２２０、２２２に対した割り当て情報を含む。サブフレームごとに送信されるＡ−ＭＡＰ  ＩＥ２１２、２１４は、該当サブフレーム内のＡ−ＭＡＰ領域２００を除いた残りの領域に割り当てられたデータバースト２０２の割り当て情報（すなわち、位置及びサイズに対する情報）を含む。同様に、２個のサブフレームごとに送信されるＡ−ＭＡＰ  ＩＥ２１２、２１４は、該当２個のサブフレーム内のＡ−ＭＡＰ領域２０４を除いた残りの領域に割り当てられたデータバースト２０６、２０８の割り当て情報を含む。端末は、Ａ−ＭＡＰ領域２００、２０４を介して送信されるＡ−ＭＡＰ  ＩＥ２１２、２１４を受信及びデコードして自身に割り当てられたデータバーストの位置とサイズを把握した後、把握された位置より把握されたサイズのデータバーストをデコードするようになる。
【０００７】
一方、ＩＥＥＥ  ８０２．１６通信システムにおいて、基地局は、サービス領域内の端末に放送管理（Ｂｒｏａｄｃａｓｔ  Ｍａｎａｇｅｍｅｎｔ）メッセージを周期的に放送し、端末は、これを受信することによって端末運用に必要な制御情報を得ることができる。例えば、放送管理メッセージには、トラフィック指示（ＭＯＢ＿ＴＲＦ−ＩＮＤ：Ｍｏｂｉｌｅ  Ｔｒａｆｆｉｃ  Ｉｎｄｉｃａｔｉｏｎ）メッセージ、ページング広告（ＭＯＢ＿ＰＡＧ−ＡＤＶ：Ｍｏｂｉｌｅ  Ｐａｇｉｎｇ  Ａｄｖｅｒｔｉｓｅｍｅｎｔ）メッセージなどがある。放送管理メッセージは、複数が一度に放送されることができ、複数の放送管理メッセージが同じサブフレームで放送されうる。しかしながら、現在の規格では、放送管理メッセージを送信するためのデータバーストに対する割り当て情報を表すＡ−ＭＡＰ  ＩＥが存在しない。すなわち、基地局は、Ａ−ＭＡＰ  ＩＥを介して端末に、放送管理メッセージを送信するためのデータバーストに対する位置とサイズとに対する情報を知らせない。ただし、放送管理メッセージを送信するためのデータバーストがＡ−ＭＡＰ領域のすぐ次に位置すると定義されている。したがって、複数の放送管理メッセージが同じサブフレームで放送される場合、端末は、送信される放送管理メッセージの種類を正確に分からなくなり、これにより誤情報を獲得して誤動作を行う。一例として、図２のように、トラフィック指示メッセージ２１６とページング広告メッセージ２１８とが同じサブフレームで放送されうる。
【０００８】
ＩＥＥＥ  ８０２．１６通信システムでは、端末の電力消費を最小化するためにスリープ（Ｓｌｅｅｐ）モードとアイドル（Ｉｄｌｅ）モードとを定義している。端末は、一定時間（スリープタイマー）の間に送受信トラフィックがない場合、端末自身の状態をスリープモードに遷移できる。また、端末は、一定時間（アイドルタイマー）の間に送受信トラフィックがない場合、端末自身の状態をアイドルモードに遷移できる。
【０００９】
システムの立場においてスリープモードとアイドルモードとは、以下のような重要な差異を有する。第１に、基地局制御機は、アウェイク（ａｗａｋｅ）モードとスリープモードとに対して端末に対するすべての情報（ＣＩＤ（Ｃｏｎｎｅｃｔｉｏｎ  ＩＤ））及びスケジューリング情報等）を維持／管理する反面、アイドルモードに対しては、端末とシステムとの間の通信のためのすべての情報（例：Ｐ−ＣＩＤ（Ｐｈｙｓｉｃａｌ  Ｃｅｌｌ  ＩＤ）、Ｔ−ＣＩＤ（Ｔｒａｎｓｐｏｒｔ  Ｃｏｎｎｅｃｔｉｏｎ  ＩＤ）を解除する。第２に、セクターや基地局間の移動時に、スリープモード端末は、アウェイクモードに遷移してハンドオーバ（ＨＯ：Ｈａｎｄｏｖｅｒ）手順を行うことに対し、アイドルモード端末は、ハンドオーバ手順を行わずに、位置更新（ｌｏｃａｔｉｏｎ  ｕｐｄａｔｅ）手順を行う。
【００１０】
端末は、スリープモードへの状態遷移を要請するために基地局にスリープ要請（ＭＯＢ＿ＳＬＰ−ＲＥＱ：Ｍｏｂｉｌｅ  Ｓｌｅｅｐ  Ｒｅｑｕｅｓｔ）メッセージを送信し、基地局は、これに対する応答としてスリープ応答（ＳＬＰ−ＲＳＰ：Ｓｌｅｅｐ  Ｒｅｑｕｅｓｔ）メッセージを端末に送信して、スリープモードへの遷移動作を許諾する。これにより、端末は、スタートフレームナンバー（Ｓｔａｒｔ＿Ｆｒａｍｅ＿Ｎｕｍｂｅｒ）が指示する時点でスリープモードに状態遷移して、スリープウィンドウ（Ｓｌｅｅｐ  Ｗｉｎｄｏｗ）の間にスリープモードを行う。スリープモードを行っている端末に対してパケットデータの送信が要求される場合、基地局は、端末のリスニングウィンドウ（Ｌｉｓｔｅｎｉｎｇ  Ｗｉｎｄｏｗ）の間にトラフィック指示メッセージを送信して、端末に送信されるパケットデータが存在することを通知しなければならない。また、端末は、リスニングウィンドウの間にスリープモードから目覚めて基地局からトラフィック指示メッセージを受信して、端末自身に送信されるパケットデータが存在するか否かを確認しなければならない。確認結果、基地局から端末自身に送信されるパケットデータが存在することを感知すると、端末は、アウェイクモードに状態遷移して基地局からパケットデータを受信する。一方、端末自身に送信されるパケットデータが存在しないことを感知する場合、端末は、再度スリープモードに戻って次のリスニングウィンドウまでスリープモードを維持する。反対に、スリープモードを行っている端末が基地局にパケットデータを送信しようとする場合、端末は、帯域幅要請（ＢＷ  ｒｅｑｕｅｓｔ）を基地局に送信することによって、アウェイクモードに状態遷移できる。
【００１１】
端末は、アイドルモードへの状態遷移を要請するために、現在通信を行っているサービング基地局に登録解除要請（ＤＲＥＧ−ＲＥＱ：Ｄｅ−Ｒｅｇｉｓｔｒａｔｉｏｎ  Ｒｅｑｕｅｓｔ）メッセージを送信し、サービング基地局は、これに対する応答として登録解除命令（ＤＲＥＧ−ＣＭＤ：Ｄｅ−Ｒｅｇｉｓｔｒａｔｉｏｎ  Ｃｏｍｍａｎｄ）メッセージを端末に送信して、アイドルモードへの遷移動作を許諾する。これにより、端末は、アイドルモードに状態遷移してアイドルモードを行う。登録解除命令メッセージは、ページング情報ＴＬＶ（Ｐａｇｉｎｇ  Ｉｎｆｏｒｍａｔｉｏｎ  ＴＬＶ（Ｔｙｐｅ／Ｌｅｎｇｔｈ／Ｖａｌｕｅ））フィールドを含む。ページング情報ＴＬＶフィールドは、ページンググループ識別子（Ｐａｇｉｎｇ  Ｇｒｏｕｐ  Ｉｄｅｎｔｉｆｉｅｒ）、ページング周期（Ｐａｇｉｎｇ  Ｃｙｃｌｅ）及びページングオフセット（Ｐａｇｉｎｇ  Ｏｆｆｓｅｔ）パラメータを含む。ページンググループ識別子パラメータは、ページンググループを識別する識別子であって、ページンググループは、複数のセルからなる。ページング周期パラメータは、端末が要請したページング周期要求（Ｐａｇｉｎｇ  Ｃｙｃｌｅ  Ｒｅｑｕｅｓｔ）を参照して決定される呼び出し周期である。ページングオフセットパラメータは、フレーム番号とページング周期パラメータとを利用して、端末を呼び出しできる時点を決定する時に用いられるパラメータである。アイドルモードを行っている端末は、ページング周期パラメータとページングオフセットパラメータとを利用してページングリスニングインターバル（Ｐａｇｉｎｇ  Ｌｉｓｔｅｎｉｎｇ  Ｉｎｔｅｒｖａｌ）を決定し、ページングリスニングインターバルの間にページング広告メッセージを受信待機する動作を行う。ページング広告メッセージは、端末がアイドルモードを維持し続けるか否かに対する情報を含む。
【００１２】
一方、複数の放送管理メッセージが同じサブフレームで放送される場合の一例として、トラフィック指示メッセージとページング広告メッセージとが同じサブフレームで放送される場合を述べると、以下のとおりである。スリープモードを行っている端末のリスニングウィンドウとアイドルモードを行っている端末のページングリスニングインターバルとは、図３のように、交差でき、時間的に同じサブフレームから送信されうる。もちろんサブフレームを異なるようにして送信できると考えうるが、スリープモード乃至アイドルモードとも予め交渉されたサブフレーム内から端末が目覚めなければならないという制限条件が発生する。結局、スリープモードを行っている端末とアイドルモードを行っている端末とは、同じサブフレームから目覚めることができる。この場合、従来では、Ａ−ＭＡＰ  ＩＥを介してトラフィック指示メッセージとページング広告メッセージとのデータバーストに対する割り当て情報を端末に知らせなかったため、端末の立場では、どんな放送管理メッセージがまず送信されるのかが分からない。したがって、トラフィック指示メッセージがまず送信される場合、アイドルモードを行っている端末は、その事実を知らないまま、ページング広告メッセージが送信されると見なしてページング情報をパーシング（ｐａｒｓｉｎｇ）するようになり、結局、誤情報を得るようになる。すなわち、端末は、基地局が該当端末に対してページングしなかったにもかかわらず、ページングしたと見なす場合が発生する。仮に、ページング広告メッセージがまず送信されるならば、スリープモードを行っている端末も誤情報を得るようになるのは同様である。そのため、端末の立場で、該当サブフレームにどんな放送管理メッセージが存在しているか否か、存在するならばメッセージのサイズがどれくらいかを知っていなければならず、このために基地局が関連情報を送信する必要がある。
【先行技術文献】
【特許文献】
【００１３】
【特許文献１】韓国公開特許第１０−２００４−００１０６７５１号公報
【発明の概要】
【発明が解決しようとする課題】
【００１４】
本発明の目的は、無線通信システムにおける複数の放送管理メッセージ、特にトラフィック指示メッセージとページング広告メッセージとの同時送信を支援するための装置及び方法を提供することにある。
【００１５】
本発明の他の目的は、無線通信システムにおけるユーザ−特定フィールドに含まれる複数のＡ−ＭＡＰ  ＩＥのうち、最初のＡ−ＭＡＰ  ＩＥを放送Ａ−ＭＡＰ  ＩＥから構成し、放送Ａ−ＭＡＰ  ＩＥを介して放送バーストの割り当て情報（すなわち、位置及びサイズに対する情報）を指示するための装置及び方法を提供することにある。
【００１６】
本発明のさらに他の目的は、無線通信システムにおけるＧＭＨ（Ｇｅｎｅｒｉｃ  ＭＡＣ  Ｈｅａｄｅｒ）を介して該当放送管理メッセージの長さを指示するための装置及び方法を提供することにある。
【課題を解決するための手段】
【００１７】
上記の目的を達成すべく、本発明の第１見地によれば、無線通信システムにおける基地局が放送管理メッセージの送信を支援するための方法は、送信が要求される一つ以上の放送管理メッセージを生成する過程と、サブフレーム内の既定の位置に基づいて予め決定された個数のＡ−ＭＡＰ  ＩＥを放送Ａ−ＭＡＰ  ＩＥから構成する過程とを含み、ここで、前記放送Ａ−ＭＡＰ  ＩＥは、前記生成された一つ以上の放送管理メッセージを送信するための放送バーストの割り当て情報を含むことを特徴とする。
【００１８】
上記の目的を達成すべく、本発明の第２見地によれば、無線通信システムにおける端末が放送管理メッセージを受信するための方法は、既定の放送用ＳＴＩＤを使用して、サブフレーム内の既定の位置に基づいて予め決定された個数のＡ−ＭＡＰ  ＩＥをディスクランブルすることによって、放送Ａ−ＭＡＰ  ＩＥの検出を試みる過程と、前記放送Ａ−ＭＡＰ  ＩＥが検出される場合、該検出された放送Ａ−ＭＡＰ  ＩＥを基盤にサブフレーム内から一つ以上の放送管理メッセージを抽出する過程とを含み、ここで、前記放送Ａ−ＭＡＰ  ＩＥは、前記一つ以上の放送管理メッセージを送信するための放送バーストの割り当て情報を含むことを特徴とする。
【００１９】
上記の目的を達成すべく、本発明の第３見地によれば、無線通信システムにおける基地局が放送管理メッセージの送信を支援するための装置は、送信が要求される一つ以上の放送管理メッセージを生成する放送管理メッセージ生成器と、サブフレーム内の既定の位置に基づいて予め決定された個数のＡ−ＭＡＰ  ＩＥを放送Ａ−ＭＡＰ  ＩＥから構成するＡ−ＭＡＰメッセージ生成器とを備え、ここで、前記放送Ａ−ＭＡＰ  ＩＥは、前記生成された一つ以上の放送管理メッセージを送信するための放送バーストの割り当て情報を含むことを特徴とする。
【００２０】
上記の目的を達成すべく、本発明の第４見地によれば、無線通信システムにおける端末が放送管理メッセージを受信するための装置は、既定の放送用ＳＴＩＤを使用して、サブフレーム内の既定の位置に基づいて予め決定された個数のＡ−ＭＡＰ  ＩＥをディスクランブルすることによって、放送Ａ−ＭＡＰ  ＩＥの検出を試みるＡ−ＭＡＰメッセージ解析器と、前記放送Ａ−ＭＡＰ  ＩＥが検出される場合、該検出された放送Ａ−ＭＡＰ  ＩＥを基盤にサブフレーム内から一つ以上の放送管理メッセージを抽出する放送管理メッセージ処理器とを備え、ここで、前記放送Ａ−ＭＡＰ  ＩＥは、前記一つ以上の放送管理メッセージを送信するための放送バーストの割り当て情報を含むことを特徴とする。
【発明の効果】
【００２１】
本発明によれば、無線通信システムにおいてユーザ−特定フィールドに含まれる複数のＡ−ＭＡＰ  ＩＥのうち、第１番目のＡ−ＭＡＰ  ＩＥを放送Ａ−ＭＡＰ  ＩＥから構成し、放送Ａ−ＭＡＰ  ＩＥを介して放送バーストの割り当て情報（すなわち、位置及びサイズに対する情報）を指示することによって、端末がサブフレーム内の放送管理メッセージを送信するための放送バーストの位置及びサイズを把握できるという利点がある。これにより、少ないオーバーヘッドで複数の放送管理メッセージの同時送信が可能になる。
【図面の簡単な説明】
【００２２】
【図１】一般的なＩＥＥＥ  ８０２．１６ｍシステムのフレーム構造を示す図である。
【図２】一般的なＩＥＥＥ  ８０２．１６ｍシステムの詳細フレーム構造を示す図である。
【図３】一般的なＩＥＥＥ  ８０２．１６ｍシステムにおけるスリープモードを行っている端末のリスニングウィンドウとアイドルモードを行っている端末のページングリスニングインターバルとが交差する状況を示す図である。
【図４】本発明の第１の実施の形態による無線通信システムにおける複数の放送管理メッセージの同時送信を支援するためのフレームを示す図である。
【図５】本発明の第１の実施の形態による無線通信システムにおける基地局が複数の放送管理メッセージを同時送信するための方法を示すフローチャートである。
【図６】本発明の第１の実施の形態による無線通信システムにおける端末が放送管理メッセージを受信するための方法を示すフローチャートである。
【図７】本発明の第２の実施の形態による無線通信システムにおける複数の放送管理メッセージの同時送信を支援するためのフレームを示す図である。
【図８】本発明の第３の実施の形態による無線通信システムにおける複数の放送管理メッセージの同時送信を支援するためのフレームを示す図である。
【図９】本発明の第３の実施の形態による無線通信システムにおける基地局が複数の放送管理メッセージを同時送信するための方法を示すフローチャートである。
【図１０】本発明の第３の実施の形態による無線通信システムにおける端末が放送管理メッセージを受信するための方法を示すフローチャートである。
【図１１】本発明の第４の実施の形態による無線通信システムにおける複数の放送管理メッセージの同時送信を支援するためのフレームを示す図である。
【図１２】本発明の第４の実施の形態による無線通信システムにおける基地局が複数の放送管理メッセージを同時送信するための方法を示すフローチャートである。
【図１３】本発明の第４の実施の形態による無線通信システムにおける端末が放送管理メッセージを受信するための方法を示すフローチャートである。
【図１４】本発明の第５の実施の形態による無線通信システムにおける複数の放送管理メッセージの同時送信を支援するためのフレームを示す図である。
【図１５】本発明の第６の実施の形態による無線通信システムにおける複数の放送管理メッセージの同時送信を支援するためのフレームを示す図である。
【図１６】本発明の第７の実施の形態による無線通信システムにおける複数の放送管理メッセージの同時送信を支援するためのフレームを示す図である。
【図１７】本発明の第８の実施の形態による無線通信システムにおける複数の放送管理メッセージの同時送信を支援するためのフレームを示す図である。
【図１８】本発明による無線通信システムにおける基地局の構成を示すブロック図である。
【図１９】本発明による無線通信システムにおける端末の構成を示すブロック図である。
【図２０】本発明の第９の実施の形態による無線通信システムにおける複数の放送管理メッセージの同時送信を支援するためのフレームを示す図である。
【図２１】本発明の第１０の実施の形態による無線通信システムにおける複数の放送管理メッセージの同時送信を支援するためのフレームを示す図である。
【図２２】本発明の第１１の実施の形態による無線通信システムにおける複数の放送管理メッセージの同時送信を支援するためのフレームを示す図である。
【図２３】本発明の第１２の実施の形態による無線通信システムにおける複数の放送管理メッセージの同時送信を支援するためのフレームを示す図である。
【発明を実施するための形態】
【００２３】
以下、本発明の好ましい実施の形態を、添付された図面を参照して詳細に説明する。そして、本発明を説明するに当たって、関連した公知機能あるいは構成についての具体的な説明が本発明の要旨を不明にするおそれがあると判断された場合には、その詳細な説明を省略する。
【００２４】
以下、本発明では、無線通信システムにおける複数の放送管理メッセージの同時送信を支援するための方案について説明する。ここで、無線通信システムは、ＩＥＥＥ  ８０２．１６ｍシステムを例に挙げて説明するが、放送管理メッセージを受信する端末が存在するすべてのシステムに適用可能であることはもちろんである。
【００２５】
以下では、トラフィック指示メッセージとページング広告メッセージとを例に挙げて放送管理メッセージを説明するが、その他該当データバーストに対する割り当て情報を表すＡ−ＭＡＰ  ＩＥが存在しないすべての放送管理メッセージに適用可能であることはもちろんである。また、以下の説明では、サブフレーム内でトラフィック指示メッセージを送信するためのデータバーストの次に、ページング広告メッセージを送信するためのデータバーストが位置することを例に挙げるが、サブフレーム内の２個のメッセージを送信するためのデータバーストの位置は、互いに反対でありうることはもちろんである。また、以下の説明において、スリープモードを行っている端末は、「スリープモード端末」、アイドルモードを行っている端末は、「アイドルモード端末」と称することにする。
【００２６】
図４は、本発明の第１の実施の形態による無線通信システムにおける複数の放送管理メッセージの同時送信を支援するためのフレームを示す図である。
【００２７】
図４に示すように、サブフレーム内のＡ−ＭＡＰ領域のすぐ次に既定の固定サイズの小さなデータバーストが存在し、基地局は、固定サイズの小さなデータバーストを介して、該当サブフレームに送信される複数の放送管理メッセージ（例えば、トラフィック指示メッセージとページング広告メッセージ）４０２、４０４を定義するための放送管理メッセージ定義メッセージ４００を送信する。したがって、サブフレームを受信及びデコードしなければならないすべてのスリープモード端末及びアイドルモード端末は、固定サイズの小さなデータバーストをデコードしなければならない。
【００２８】
ここで、放送管理メッセージ定義メッセージ４００は、下記の表１のようなフォーマットから構成される。  
【００２９】
【表１】
2010288275.tif 000003
【００３０】
ここで、ＭＯＢ＿ＴＲＦ−ＩＮＤの存在フィールドは、サブフレーム内のトラフィック指示メッセージの存在有無を表す。ＭＯＢ＿ＴＲＦ−ＩＮＤの存在フィールドに設定された値が「１」であると、これは、固定サイズの小さなデータバーストのすぐ次に存在するデータバーストを介して、トラフィック指示メッセージが送信されることを意味する。ＭＯＢ＿ＴＲＦ−ＩＮＤのサイズフィールドは、トラフィック指示メッセージのサイズを表し、ＭＯＢ＿ＴＲＦ−ＩＮＤのＭＣＳ情報フィールドは、トラフィック指示メッセージの送信に用いられるＭＣＳレベルを表す。
【００３１】
同様に、ＭＯＢ＿ＰＡＧ−ＡＤＶの存在フィールドは、サブフレーム内のページング広告メッセージの存在有無を表す。ＭＯＢ＿ＰＡＧ−ＡＤＶの存在フィールドに設定された値が「１」であると、これは、固定サイズの小さなデータバーストのすぐ次に存在するデータバースト（ＭＯＢ＿ＴＲＦ−ＩＮＤの存在フィールドに設定された値が「０」である場合）又はトラフィック指示メッセージを送信するためのデータバーストのすぐ次に存在するデータバースト（ＭＯＢ＿ＴＲＦ−ＩＮＤの存在フィールドに設定された値が「１」である場合）を介してページング広告メッセージが送信されることを意味する。ＭＯＢ＿ＰＡＧ−ＡＤＶのサイズフィールドは、ページング広告メッセージのサイズを表し、ＭＯＢ＿ＰＡＧ−ＡＤＶのＭＣＳ情報フィールドは、ページング広告メッセージの送信に用いられるＭＣＳレベルを表す。
【００３２】
ここで、トラフィック指示メッセージとページング広告メッセージとの送信に用いられるＭＣＳレベルが固定された値（大慨Ｒｏｂｕｓｔｅｓｔ  ＭＣＳ）に予め決まっている場合、表１にてＭＯＢ＿ＴＲＦ−ＩＮＤのＭＣＳ情報フィールドとＭＯＢ＿ＰＡＧ−ＡＤＶのＭＣＳ情報フィールドとは省略できる。そうなると、トラフィック指示メッセージとページング広告メッセージとを送信するために必要な固定サイズの小さなデータバーストをさらに小さなサイズに定義することができる。また、表１にて各フィールド別に割り当てられたビットの数は、具現によって変わることができ、これによりトラフィック指示メッセージとページング広告メッセージとを送信するために必要な固定サイズの小さなデータバーストのサイズも当然変わることができる。
【００３３】
図５は、本発明の第１の実施の形態による無線通信システムにおける基地局が複数の放送管理メッセージを同時送信するための方法を示すフローチャートである。
【００３４】
図５に示すように、基地局は、ステップ５０１にて、サブフレームを介して送信するデータパケットを生成し、該生成されたデータパケットに対してデータバーストを割り当てて、割り当てられたデータバーストに生成されたデータパケットをマッピングする。
【００３５】
以後、基地局は、ステップ５０３にて、データパケットを送信するためのデータバーストに対する割り当て情報を表すＡ−ＭＡＰ  ＩＥを生成し、該生成されたＡ−ＭＡＰ  ＩＥをサブフレーム内のＡ−ＭＡＰ領域にマッピングする。
【００３６】
以後、基地局は、ステップ５０５にて、送信が要求される一つ以上の放送管理メッセージを生成する。基地局は、放送管理メッセージ別に送信周期に応じる放送管理メッセージの送信時点を把握でき、これにより現在サブフレームが送信時点である放送管理メッセージが存在するか否かを判断することができる。現在サブフレームが送信時点である放送管理メッセージが存在すると判断される場合、基地局は、該当放送管理メッセージの送信が要求される端末が存在するか否かを判断し、該当放送管理メッセージの送信が要求される端末が存在すると判断される場合、該当放送管理メッセージを生成できる。このとき、送信が要求される複数の放送管理メッセージが存在する場合、複数の放送管理メッセージを生成できる。
【００３７】
以後、基地局は、ステップ５０７にて、全体放送管理メッセージ別サブフレーム内の存在有無と、存在する放送管理メッセージのサイズに対する情報を含む放送管理メッセージ定義メッセージを生成する。
【００３８】
以後、基地局は、ステップ５０９にて、生成された放送管理メッセージ定義メッセージをＡ−ＭＡＰ領域のすぐ次に存在する固定サイズの小さなデータバーストにマッピングする。
【００３９】
以後、基地局は、ステップ５１１にて、送信が要求される放送管理メッセージを固定サイズの小さなデータバーストのすぐ次に存在するデータバーストに順にマッピングする。例えば、トラフィック指示メッセージとページング広告メッセージとの送信が要求される場合、固定サイズの小さなデータバーストのすぐ次に存在するデータバーストにトラフィック指示メッセージをマッピングし、そのすぐ次に存在するデータバーストにページング広告メッセージをマッピングでき、あるいはその反対にマッピングすることもできる。これによって、サブフレームの構成を完了する。
【００４０】
以後、基地局は、ステップ５１３にてサブフレームを端末に送信する。
【００４１】
以後、基地局は、本発明によるアルゴリズムを終了する。
【００４２】
図６は、本発明の第１の実施の形態による無線通信システムにおける端末が放送管理メッセージを受信するための方法を示すフローチャートである。
【００４３】
図６に示すように、端末は、ステップ６０１にて基地局からサブフレームが受信されるか否かを検査する。
【００４４】
ステップ６０１にてサブフレームが受信される場合、端末は、ステップ６０３に進んでサブフレーム内のＡ−ＭＡＰ領域からＡ−ＭＡＰ  ＩＥを抽出し、ステップ６０５にて抽出されたＡ−ＭＡＰ  ＩＥを利用して端末自身に送信されるデータパケットのデータバーストに対する割り当て情報を確認する。
【００４５】
以後、端末は、ステップ６０７にて、確認されたデータバーストの割り当て情報を利用して、該当データバーストから自身のデータパケットを抽出する。
【００４６】
以後、端末は、ステップ６０９にて、サブフレーム内のＡ−ＭＡＰ領域のすぐ次に存在する固定サイズの小さなデータバーストから放送管理メッセージ定義メッセージを抽出し、ステップ６１１にて抽出された放送管理メッセージ定義メッセージを利用して、サブフレーム内の放送管理メッセージに関わる情報を確認する。すなわち、全体放送管理メッセージ別サブフレーム内の存在有無と、存在する放送管理メッセージのサイズに対する情報を確認する。
【００４７】
以後、端末は、ステップ６１３にて、確認された全体放送管理メッセージ別サブフレーム内の存在有無に対する情報を利用して、受信が要求される放送管理メッセージが存在するか否かを検査する。例えば、スリープモード端末の場合、トラフィック指示メッセージの受信を待機するので、サブフレーム内のトラフィック指示メッセージが存在するか否かを検査し、アイドルモード端末の場合、ページング広告メッセージの受信を待機するので、サブフレーム内のページング広告メッセージが存在するか否かを検査できる。
【００４８】
ステップ６１３にて受信が要求される放送管理メッセージが存在すると判断される場合、端末は、ステップ６１５にて固定サイズの小さなデータバーストのすぐ次に存在するデータバーストのうち、受信が要求される放送管理メッセージに対応するデータバーストから該当放送管理メッセージを抽出する。例えば、サブフレーム内の固定サイズの小さなデータバーストのすぐ次に存在するデータバーストにトラフィック指示メッセージが存在し、そのすぐ次に存在するデータバーストにページング広告メッセージが存在する場合、スリープモード端末は、固定サイズの小さなデータバーストのすぐ次に存在するデータバーストからトラフィック指示メッセージを抽出し、アイドルモード端末は、そのすぐ次に存在するデータバーストからページング広告メッセージを抽出できる。
【００４９】
以後、端末は、本発明によるアルゴリズムを終了する。
【００５０】
図７は、本発明の第２の実施の形態による無線通信システムにおける複数の放送管理メッセージの同時送信を支援するためのフレームを示す図である。
【００５１】
図７に示すように、サブフレームのＡ−ＭＡＰ領域内の非−ユーザ−特定フィールドには、Ａ−ＭＡＰ領域のサイズを指示するための情報と共に、放送管理メッセージのサブフレーム内の存在有無を表すビット（１ビット）７００が含まれる。サブフレーム内の放送管理メッセージが存在しない場合、ビット７００は、「０」の値に設定される。この場合、放送管理メッセージの範ちゅうに属するトラフィック指示メッセージ及びページング広告メッセージが送信されないことであるから、結局、Ａ−ＭＡＰ領域の直後に固定サイズの小さなデータバーストも存在しなくなる。すなわち、スリープモード端末及びアイドルモード端末は、Ａ−ＭＡＰ領域のすぐ次に存在する固定サイズの小さなデータバーストをデコードする必要がなくなる。一方、ビット７００は、「１」の値に設定された場合、これは、サブフレーム内の放送管理メッセージが存在することを表すので、スリープモード端末及びアイドルモード端末は、Ａ−ＭＡＰ領域のすぐ次に存在する固定サイズの小さなデータバーストをデコードしなければならない。
【００５２】
ビット７００が「１」の値に設定された場合、サブフレーム内のＡ−ＭＡＰ領域のすぐ次に予め決まった固定サイズの小さなデータバーストが存在し、固定サイズの小さなデータバーストを介して、各放送管理メッセージのサブフレーム内の存在有無に対するビットマップを含む第１放送管理メッセージ定義メッセージ７０２が送信される。
【００５３】
ここで、第１放送管理メッセージ定義メッセージ７０２は、下記の表２のようなフォーマットから構成される。  
【００５４】
【表２】
2010288275.tif 000004
【００５５】
ここで、放送管理メッセージの存在に対するビットマップフィールドは、各放送管理メッセージのサブフレーム内の存在有無に対するビットマップを表し、ビットマップ内の各ビットは、対応する放送管理メッセージのサブフレーム内の存在有無を表す。このようにビットマップを利用して各放送管理メッセージのサブフレーム内の存在有無を表す場合、ビット自体として放送管理メッセージを区分できるから、放送管理メッセージの種類を表すためのタイプフィールドを別に追加する必要がない。例えば、トラフィック指示メッセージがＭＳＢの第１番目のビットに割り当てられ、ページング広告メッセージが第２番目のビットに割り当てられている場合、ＭＳＢの第１番目のビットが「１」の値に設定されていると、端末は、サブフレーム内のトラフィック指示メッセージが存在することが分かり、第２番目のビットが「１」の値に設定されていると、端末は、サブフレーム内のページング広告メッセージが存在することが分かる。
【００５６】
固定サイズの小さなデータバーストのすぐ次に存在するデータバーストを介して、ビットマップ内において「１」の値に設定されたビットの各々に対応する放送管理メッセージの長さ情報を含む第２放送管理メッセージ定義メッセージ７０４が送信される。
【００５７】
ここで、第２放送管理メッセージ定義メッセージ７０４は、下記の表３のようなＬフォーマットから構成される。 
【００５８】
【表３】
2010288275.tif 000005
【００５９】
ここで、長さフィールドの個数は、放送管理メッセージの存在に対するビットマップフィールドにおいて「１」の値に設定されたビットの総個数と同一で、各々の長さフィールドは、放送管理メッセージの存在に対するビットマップフィールドにおいて「１」の値に設定されたビットの順序と同一である。すなわち、長さフィールドは、ビットマップ内の「１」の値に設定されたビットに対応する放送管理メッセージの長さを表す。端末は、第１放送管理メッセージ定義メッセージ７０２と第２放送管理メッセージ定義メッセージ７０４とを介して、サブフレーム内にどんな放送管理メッセージが、いくつ存在しているかを把握でき、これによりサブフレーム内に存在する各々の放送管理メッセージに対して選択的にデコードを行うことができる。ここで、表３に示していないが、表３にパディング（ｐａｄｄｉｎｇ）フィールドをさらに含めて、余分のビットを追加できる。
【００６０】
ここで、表２の第１放送管理メッセージ定義メッセージと表３の第２放送管理メッセージ定義メッセージとは、上記のように分離して送信する必要がなく、一つの放送管理メッセージ定義メッセージで送信することもできる。この場合、図７にて第１放送管理メッセージ定義メッセージ７０２と第２放送管理メッセージ定義メッセージ７０４とのそれぞれを送信するための２個のデータバーストではない、１個の固定サイズの小さなデータバーストが必要である。
【００６１】
図８は、本発明の第３の実施の形態による無線通信システムにおける複数の放送管理メッセージの同時送信を支援するためのフレームを示す図である。
【００６２】
図８に示すように、まずトラフィック指示メッセージは、第１トラフィック指示メッセージＭＯＢ＿ＴＲＦ−ＩＮＤ＿Ｉ８０２のみから構成されることができ、他の方法としては、第１トラフィック指示メッセージ８０２と第２トラフィック指示メッセージＭＯＢ＿ＴＲＦ−ＩＮＤ＿ＩＩ８０４とから構成されうる。もちろん、他の形態のトラフィック指示メッセージが新しく定義されうる。ここで、第１トラフィック指示メッセージ８０２は、最小２個の端末に対するトラフィック指示情報を含むことができ、また第２トラフィック指示メッセージ８０４の存在有無及びサイズに対する情報を含むことができる。２個以下の端末に対するトラフィック指示情報の送信が要求される場合、第１トラフィック指示メッセージ８０２の送信だけでも充分であるが、それ以上の端末に対するトラフィック指示情報の送信が要求される場合、追加の端末に対するトラフィック指示情報を含む第２トラフィック指示メッセージ８０４の送信が必要である。したがって、２個以上の端末に対するトラフィック指示情報の送信が要求される場合、第１トラフィック指示メッセージ８０２に第２トラフィック指示メッセージ８０４の存在有無及びサイズに対する情報を設定して、スリープモード端末が第１トラフィック指示メッセージ８０２と共に第２トラフィック指示メッセージ８０４を受信できるようにしなければならない。
【００６３】
サブフレームのＡ−ＭＡＰ領域内の非−ユーザ−特定フィールドには、Ａ−ＭＡＰ領域のサイズを指示するための情報と共に、第１トラフィック指示メッセージのサブフレーム内の存在有無を表すビット（１ビット）８００が含まれる。Ａ−ＭＡＰ領域のすぐ次に存在するデータバーストは、第１トラフィック指示メッセージ８０２を送信する。
【００６４】
スリープモード端末は、ビット８００を介してサブフレーム内の第１トラフィック指示メッセージ８０２の存在有無を把握できる。サブフレーム内の第１トラフィック指示メッセージ８０２が存在しない場合、ビット８００は、「０」の値に設定される。この場合、スリープモード端末は、Ａ−ＭＡＰ領域のすぐ次に存在するデータバーストをデコードする必要がなくなる。一方、ビット８００が「１」の値に設定された場合、これは、サブフレーム内の第１トラフィック指示メッセージ８０２が存在することを表すので、スリープモード端末は、Ａ−ＭＡＰ領域のすぐ次に存在するデータバーストをデコードしなければならない。もちろん、スリープモード端末が該当サブフレームで第１トラフィック指示メッセージ８０２を受信すると予め決まっている場合には、スリープモード端末は、ビット８００をデコードする必要がなく、Ａ−ＭＡＰ領域のすぐ次に存在するデータバーストをデコードして第１トラフィック指示メッセージ８０２を獲得できる。
【００６５】
アイドルモード端末の場合、ビット８００を必ずデコードしなければならない。ビット８００が「１」の値に設定されていると、端末は、サブフレーム内の第１トラフィック指示メッセージ８０２が存在することを把握し、Ａ−ＭＡＰ領域のすぐ次に存在するデータバーストをデコードして第１トラフィック指示メッセージ８０２を獲得しなければならない。アイドルモード端末は、第１トラフィック指示メッセージ８０２に含まれている第２トラフィック指示メッセージ８０４の存在有無及びサイズに対する情報を参照して、全体トラフィック指示メッセージ８０２、８０４の送信が終了する位置を把握でき、これによりページング広告メッセージ８０６の送信が始まる位置を把握できる。これにより、アイドルモード端末は、該当位置のデータバーストをデコードしてページング広告メッセージ８０６を獲得できる。
【００６６】
図９は、本発明の第３の実施の形態による無線通信システムにおける基地局が複数の放送管理メッセージを同時送信するための方法を示すフローチャートである。
【００６７】
図９に示すように、基地局は、ステップ９０１にて、サブフレームを介して送信するデータパケットを生成し、該生成されたデータパケットに対してデータバーストを割り当てて、割り当てられたデータバーストに生成されたデータパケットをマッピングする。
【００６８】
以後、基地局は、ステップ９０３にて、データパケット表すＡ−ＭＡＰ  ＩＥを生成する。
【００６９】
以後、基地局は、ステップ９０５にて、トラフィック指示メッセージの送信が要求されるか否かを判断する。基地局は、送信周期に応じてトラフィック指示メッセージの送信時点を把握でき、これにより現在サブフレームがトラフィック指示メッセージの送信時点であるか否かを判断できる。現在サブフレームがトラフィック指示メッセージの送信時点であると判断される場合、基地局は、スリープ端末が存在するか否かを判断し、スリープ端末が存在すると判断される場合、トラフィック指示メッセージの送信が要求されると判断できる。
【００７０】
トラフィック指示メッセージの送信要求の判断結果に応じてトラフィック指示メッセージの送信が要求されると判断した場合、基地局は、ステップ９０７にてトラフィック指示メッセージのサブフレーム内の存在有無を表すビットとＡ−ＭＡＰ  ＩＥとをＡ−ＭＡＰ領域にマッピングする。
【００７１】
以後、基地局は、ステップ９０９にて、２個のトラフィック指示メッセージの生成が必要であるか否かを検査する。すなわち、第１トラフィック指示メッセージと第２トラフィック指示メッセージとの生成が必要であるか否かを検査する。第１トラフィック指示メッセージは、最小２個の端末に対するトラフィック指示情報を含むことができる。したがって、２個以下の端末に対するトラフィック指示情報の送信が要求される場合、第１トラフィック指示メッセージの送信だけでも充分であるが、それ以上の端末に対するトラフィック指示情報の送信が要求される場合、追加の端末に対するトラフィック指示情報を含む第２トラフィック指示メッセージの送信が必要である。このために、第１トラフィック指示メッセージは、第２トラフィック指示メッセージの存在有無及びサイズに対する情報をさらに含むことができる。
【００７２】
ステップ９０９にて、２個のトラフィック指示メッセージの生成が必要でないと判断される場合、基地局は、ステップ９１１にて第１トラフィック指示メッセージを生成し、ステップ９１３にて生成された第１トラフィック指示メッセージをＡ−ＭＡＰ領域のすぐ次に存在するデータバーストにマッピングする。これにより、サブフレームの構成を完了した後、基地局は、ステップ９１５にてサブフレームを端末に送信する。
【００７３】
一方、ステップ９０９にて、２個のトラフィック指示メッセージの生成が必要であると判断される場合、基地局は、ステップ９１７にて第１トラフィック指示メッセージと第２トラフィック指示メッセージとを生成する。以後、基地局は、ステップ９１９にて第１トラフィック指示メッセージをＡ−ＭＡＰ領域のすぐ次に存在するデータバーストにマッピングし、ステップ９２１に進んで第２トラフィック指示メッセージをそのすぐ次に存在するデータバーストにマッピングする。これにより、サブフレームの構成を完了した後、基地局は、ステップ９１５にてサブフレームを端末に送信する。
【００７４】
図示していないが、ページング広告メッセージの送信が要求される場合、Ａ−ＭＡＰ領域のすぐ次に存在するデータバースト（第１トラフィック指示メッセージが送信されない場合）又は第１トラフィック指示メッセージが送信されるデータバーストのすぐ次に存在するデータバースト（第２トラフィック指示メッセージが送信されない場合）又は第２トラフィック指示メッセージが送信されるデータバーストのすぐ次に存在するデータバースト（第２トラフィック指示メッセージが送信される場合）にページング広告メッセージをマッピングして、サブフレームの構成を完了できる。
【００７５】
以後、基地局は、本発明によるアルゴリズムを終了する。
【００７６】
図１０は、本発明の第３の実施の形態による無線通信システムにおける端末が放送管理メッセージを受信するための方法を示すフローチャートである。ここで、端末は、スリープモード端末を意味する。
【００７７】
図１０に示すように、端末は、ステップ１００１にて基地局からサブフレームが受信されるか否かを検査する。
【００７８】
ステップ１００１にてサブフレームが受信される場合、端末は、ステップ１００３に進んでＡ−ＭＡＰ領域からトラフィック指示メッセージのサブフレーム内の存在有無を表すビットとＡ−ＭＡＰ  ＩＥとを抽出する。
【００７９】
以後、端末は、ステップ１００５にて、抽出されたＡ−ＭＡＰ  ＩＥを利用して端末自身に送信されるデータパケットのデータバーストに対する割り当て情報を確認し、ステップ１００７にて確認されたデータバーストの割り当て情報を利用して、該当データバーストから自身のデータパケットを抽出する。
【００８０】
以後、端末は、ステップ１００９にて、抽出されたトラフィック指示メッセージのサブフレーム内の存在有無を表すビットを利用して、トラフィック指示メッセージのサブフレーム内の存在有無を確認する。
【００８１】
以後、端末は、ステップ１０１１にて、確認によりトラフィック指示メッセージがサブフレーム内に存在するか否かを判断する検査を行う。
【００８２】
ステップ１０１１にて確認によりトラフィック指示メッセージがサブフレーム内に存在しないと判断される場合、端末は、本発明によるアルゴリズムを終了する。
【００８３】
一方、ステップ１０１１にて確認によりトラフィック指示メッセージがサブフレーム内に存在すると判断される場合、端末は、ステップ１０１３にて、Ａ−ＭＡＰ領域のすぐ次に存在するデータバーストから第１トラフィック指示メッセージを抽出する。
【００８４】
以後、端末は、ステップ１０１５にて抽出された第１トラフィック指示メッセージを介して第２トラフィック指示メッセージの存在有無及びサイズ情報を確認し、ステップ１０１７にて確認により第２トラフィック指示メッセージが存在するか否かを判断する検査を行う。
【００８５】
ステップ１０１７にて確認により第２トラフィック指示メッセージが存在しないと判断される場合、端末は、本発明によるアルゴリズムを終了する。
【００８６】
一方、ステップ１０１７にて確認により第２トラフィック指示メッセージが存在すると判断される場合、端末は、ステップ１０１９にて第１トラフィック指示メッセージを送信するためのデータバーストのすぐ次に存在するデータバーストから第２トラフィック指示メッセージを抽出する。
【００８７】
以後、端末は、本発明によるアルゴリズムを終了する。
【００８８】
図１１は、本発明の第４の実施の形態による無線通信システムにおける複数の放送管理メッセージの同時送信を支援するためのフレームを示す図である。
【００８９】
図１１に示すように、サブフレームのＡ−ＭＡＰ領域内の非−ユーザ−特定フィールドには、Ａ−ＭＡＰ領域のサイズを指示するための情報と共に、サブフレーム内の放送管理メッセージの存在有無を表すビット（１ビット）１１００が含まれる。ここで、ビット１１００は、図７のビット７００と同じものであり、したがって、ビット１１００についての詳細な説明は省略する。
【００９０】
サブフレーム内のＡ−ＭＡＰ領域のすぐ次に予め決まった固定サイズの小さなデータバーストが存在し、ビット１１００が「１」の値に設定された場合、固定サイズの小さなデータバーストを介して、サブフレーム内に存在する放送管理メッセージの個数を定義するための第１放送管理メッセージ定義メッセージ１１０２が送信される。
【００９１】
ここで、第１放送管理メッセージ定義メッセージ１１０２は、下記の表４のようなフォーマットから構成される。 
【００９２】
【表４】
2010288275.tif 000006
【００９３】
ここで、放送管理メッセージの個数フィールドは、サブフレーム内に存在する放送管理メッセージの個数を表す。
【００９４】
固定サイズの小さなデータバーストのすぐ次に存在するデータバーストを介して、サブフレーム内に存在する放送管理メッセージ１１０６、１１０８を定義するための第２放送管理メッセージ定義メッセージ１１０４が送信される。
【００９５】
ここで、第２放送管理メッセージ定義メッセージ１１０４は、下記の表５のようなＴＬフォーマットから構成される。  
【００９６】
【表５】
2010288275.tif 000007
【００９７】
ここで、タイプフィールドは、放送管理メッセージの種類を表し、長さフィールドは、放送管理メッセージのサイズを表す。タイプフィールドと長さフィールドとの個数は、第１放送管理メッセージ定義メッセージ１１０２内の放送管理メッセージの個数フィールドに表れているサブフレーム内に存在する放送管理メッセージの個数と同一である。したがって、端末は、放送管理メッセージの個数×１６ビット（すなわち、タイプ及び長さ）を介して、第２放送管理メッセージ定義メッセージ１１０４を送信するためのデータバーストのサイズが分かる。また、端末は、第１放送管理メッセージ定義メッセージ１１０２と第２放送管理メッセージ定義メッセージ１１０４とを介して、サブフレーム内にどんな放送管理メッセージが、いくつ存在するかを把握でき、これによりサブフレーム内に存在する各々の放送管理メッセージに対して選択的にデコードを行うことができる。
【００９８】
実際に、一つのサブフレームを介して送信されうる放送管理メッセージの個数は、おおよそ４ケ程度と予想される。したがって、放送管理メッセージ定義メッセージを第１放送管理メッセージ定義メッセージと第２放送管理メッセージ定義メッセージとに分離して送信する必要がなく、下記の表６のように、一つの放送管理メッセージ定義メッセージで送信する方法も可能である。  
【００９９】
【表６】
2010288275.tif 000008
【０１００】
ここで、表６のように、放送管理メッセージ定義メッセージを一つの放送管理メッセージ定義メッセージで送信する場合、図１１において第１放送管理メッセージ定義メッセージ１１０２と第２放送管理メッセージ定義メッセージ１１０４とのそれぞれを送信するための２個のデータバーストではない、１個の固定サイズの小さなデータバーストが必要である。
【０１０１】
図１２は、本発明の第４の実施の形態による無線通信システムにおける基地局が複数の放送管理メッセージを同時送信するための方法を示すフローチャートである。
【０１０２】
図１２に示すように、基地局は、ステップ１２０１にてサブフレームを介して送信するデータパケットを生成し、該生成されたデータパケットに対してデータバーストを割り当てて、割り当てられたデータバーストに生成されたデータパケットをマッピングする。
【０１０３】
以後、基地局は、ステップ１２０３にてデータパケットのデータバーストに対する割り当て情報を表すＡ−ＭＡＰ  ＩＥを生成する。
【０１０４】
以後、基地局は、ステップ１２０５にて、放送管理メッセージの送信が要求されるか否かを判断する。基地局は、放送管理メッセージ別に送信周期に応じる放送管理メッセージの送信時点を把握でき、これにより現在サブフレームが送信時点である放送管理メッセージが存在するか否かを判断することができる。現在サブフレームが送信時点である放送管理メッセージが存在すると判断される場合、基地局は、該当放送管理メッセージの送信が必要な端末が存在するか否かを判断し、該当放送管理メッセージの送信が必要な端末が存在すると判断される場合、該当放送管理メッセージの送信が要求されると判断できる。このとき、複数の放送管理メッセージの送信が要求されうる。
【０１０５】
放送管理メッセージの送信要求の判断結果に応じて、放送管理メッセージの送信が要求されると判断した場合、基地局は、ステップ１２０７にてサブフレーム内の放送管理メッセージの存在有無を表すビットとＡ−ＭＡＰ  ＩＥとをＡ−ＭＡＰ領域にマッピングする。
【０１０６】
以後、基地局は、ステップ１２０９にて送信が要求される一つ以上の放送管理メッセージを生成する。
【０１０７】
以後、基地局は、ステップ１２１１にて生成された放送管理メッセージの個数に対する情報を含む第１放送管理メッセージ定義メッセージを生成し、ステップ１２１３にて生成された第１放送管理メッセージ定義メッセージをＡ−ＭＡＰ領域のすぐ次に存在する固定サイズの小さなデータバーストにマッピングする。
【０１０８】
以後、基地局は、ステップ１２１５にて送信が要求される放送管理メッセージに対するタイプと長さ情報を含む第２放送管理メッセージ定義メッセージを生成し、ステップ１２１７にて生成された第２放送管理メッセージ定義メッセージを固定サイズの小さなデータバーストのすぐ次に存在するデータバーストにマッピングする。
【０１０９】
以後、基地局は、ステップ１２１９にて、送信が要求される放送管理メッセージをすぐ次に存在するデータバーストに順にマッピングする。これにより、サブフレームの構成を完了した後、基地局は、ステップ１２２１にてサブフレームを端末に送信する。
【０１１０】
以後、基地局は、本発明によるアルゴリズムを終了する。
【０１１１】
図１３は、本発明の第４の実施の形態による無線通信システムにおける端末が放送管理メッセージを受信するための方法を示すフローチャートである。
【０１１２】
図１３に示すように、端末は、ステップ１３０１にて基地局からサブフレームが受信されるか否かを検査する。
【０１１３】
ステップ１３０１にてサブフレームが受信される場合、端末は、ステップ１３０３に進んでＡ−ＭＡＰ領域から放送管理メッセージのサブフレーム内の存在有無を表すビットとＡ−ＭＡＰ  ＩＥとを抽出する。
【０１１４】
以後、端末は、ステップ１３０５にて抽出されたＡ−ＭＡＰ  ＩＥを利用して端末自身に送信されるデータパケットのデータバーストに対する割り当て情報を確認し、ステップ１３０７にて確認されたデータバーストの割り当て情報を利用して、該当データバーストから自身のデータパケットを抽出する。
【０１１５】
以後、端末は、ステップ１３０９にて抽出された放送管理メッセージのサブフレーム内の存在有無を表すビットを利用して、放送管理メッセージのサブフレーム内の存在有無を確認する。
【０１１６】
以後、端末は、ステップ１３１１にて確認により放送管理メッセージがサブフレーム内に存在するか否かを判断する検査を行う。
【０１１７】
ステップ１３１１にて確認により放送管理メッセージがサブフレーム内に存在しないと判断される場合、端末は、本発明によるアルゴリズムを終了する。
【０１１８】
一方、ステップ１３１１にて確認により放送管理メッセージがサブフレーム内に存在すると判断される場合、端末は、ステップ１３１３にてＡ−ＭＡＰ領域のすぐ次に存在する固定サイズの小さなデータバーストから第１放送管理メッセージ定義メッセージを抽出し、ステップ１３１５にて抽出された第１放送管理メッセージ定義メッセージを介してサブフレーム内の放送管理メッセージの個数に対する情報を確認する。
【０１１９】
以後、端末は、ステップ１３１７にて固定サイズの小さなデータバーストのすぐ次に存在するデータバーストから第２放送管理メッセージ定義メッセージを抽出し、ステップ１３１９にて抽出された第２放送管理メッセージ定義メッセージを介してサブフレーム内の放送管理メッセージに対するタイプと長さ情報を確認する。
【０１２０】
以後、端末は、ステップ１３２１にて、サブフレーム内の放送管理メッセージの個数に対する情報と、各放送管理メッセージに対するタイプ情報及び長さ情報を利用して、サブフレーム内に受信が要求される放送管理メッセージが存在するか否かを検査する。
【０１２１】
ステップ１３２１にてサブフレーム内に受信が要求される放送管理メッセージが存在しない際、端末は、本発明によるアルゴリズムを終了する。
【０１２２】
一方、ステップ１３２１にてサブフレーム内に受信が要求される放送管理メッセージが存在する際、端末は、ステップ１３２３に進んで第２放送管理メッセージ定義メッセージが含まれたデータバーストのすぐ次に存在するデータバーストのうち、対応するデータバーストから受信が要求される放送管理メッセージを抽出する。
【０１２３】
以後、端末は、本発明によるアルゴリズムを終了する。
【０１２４】
図１４は、本発明の第５の実施の形態による無線通信システムにおける複数の放送管理メッセージの同時送信を支援するためのフレームを示す図である。
【０１２５】
図１４に示すように、サブフレームのＡ−ＭＡＰ領域内の非−ユーザ−特定フィールドには、Ａ−ＭＡＰ領域のサイズを指示するための情報と共に、サブフレーム内の放送管理メッセージの存在有無を表すビット（１ビット）１４００が含まれる。ここで、ビット１４００は、図７のビット７００と同じものであり、したがって、ビット１４００についての詳細な説明は、省略する。
【０１２６】
ビット１４００が「１」の値に設定された場合、サブフレーム内のＡ−ＭＡＰ領域のすぐ次に予め決まった固定サイズの小さなデータバーストが存在し、固定サイズの小さなデータバーストを介して、サブフレーム内に存在する放送管理メッセージを定義するための放送管理メッセージ定義メッセージが送信される。サブフレーム内の複数の放送管理メッセージ１４０６、１４０８が存在する場合、それぞれに対応する放送管理メッセージ定義メッセージ１４０２、１４０４もやはり複数が存在し、複数の放送管理メッセージ定義メッセージ１４０２、１４０４は、複数の連続した固定サイズの小さなデータバーストにそれぞれマッピングされて端末に送信される。
【０１２７】
ここで、放送管理メッセージ定義メッセージ１４０２、１４０４は、それぞれ下記の表７のようなＬＴＬフォーマットから構成される。
【０１２８】
【表７】
2010288275.tif 000009
【０１２９】
ここで、ＬＴＬフォーマット内の最後の放送管理メッセージフィールドは、該当ＬＴＬフォーマットが最後のものであるか否かを表す。例えば、２個の放送管理メッセージが連続して送信される場合、２個の放送管理メッセージに各々対応する２個のＬＴＬフォーマットが連続して送信される。このとき、第１のＬＴＬフォーマットの最後の放送管理メッセージフィールドは、「０」の値に設定されて、他のＬＴＬフォーマットが存在することを表し、第２のＬＴＬフォーマットの最後の放送管理メッセージフィールドは、「１」の値に設定されて、それ以上他のＬＴＬフォーマットが存在しないことを表すことができる。したがって、端末は、Ａ−ＭＡＰ領域のすぐ次に固定サイズの小さなデータバーストをデコードして、第１のＬＴＬフォーマットを獲得し、このとき、獲得した第１のＬＴＬフォーマットの最後の放送管理メッセージフィールドが「０」の値に設定されているので、他のＬＴＬフォーマットが含まれている次の固定サイズの小さなデータバーストをデコードする。これにより、端末は、第２のＬＴＬフォーマットを獲得し、このとき、獲得した第２のＬＴＬフォーマットの最後の放送管理メッセージフィールドが「１」の値に設定されているので、それ以上他のＬＴＬフォーマットが存在しなく、第１のＬＴＬフォーマットに対応する放送管理メッセージが存在することを把握するようになる。ＬＴＬフォーマット内のタイプフィールドは、該当放送管理メッセージの種類を表し、ＬＴＬフォーマット内の長さフィールドは、該当放送管理メッセージのサイズを表す。第２のＬＴＬフォーマットが含まれているデータバーストのすぐ次に存在するデータバーストを介して、第１のＬＴＬフォーマットに対応する放送管理メッセージ（例えば、トラフィック指示メッセージ）が送信され、続いてその次に存在するデータバーストを介して第２のＬＴＬフォーマットに対応する放送管理メッセージ（例えば、ページング広告メッセージ）が送信される。
【０１３０】
図１５は、本発明の第６の実施の形態による無線通信システムにおける複数の放送管理メッセージの同時送信を支援するためのフレームを示す図である。
【０１３１】
図１５に示すように、サブフレームのＡ−ＭＡＰ領域内の非−ユーザ−特定フィールドには、Ａ−ＭＡＰ領域のサイズを指示するための情報と共に、サブフレーム内の放送管理メッセージの存在有無を表すビット（１ビット）１５００が含まれる。ここで、ビット１５００は、図７のビット７００と同じものであり、したがって、ビット１５００についての詳細な説明は省略する。
【０１３２】
サブフレーム内のＡ−ＭＡＰ領域のすぐ次に予め決まった固定サイズの小さなデータバーストが存在し、ビット１５００が「１」の値に設定された場合、固定サイズの小さなデータバーストを介して、サブフレーム内に存在する放送管理メッセージの個数を定義するための第１放送管理メッセージ定義メッセージ１５０２が送信される。
【０１３３】
ここで、第１放送管理メッセージ定義メッセージ１５０２は、下記の表８のようなフォーマットから構成される。
【０１３４】
【表８】
2010288275.tif 000010
【０１３５】
ここで、放送管理メッセージの個数フィールドは、サブフレーム内に存在する放送管理メッセージの個数を表す。
【０１３６】
第１放送管理メッセージ定義メッセージ１５０２を送信するための固定サイズの小さなデータバーストのすぐ次に、放送管理メッセージの個数フィールドに表れているサブフレーム内に存在する放送管理メッセージの個数分だけ、連続する固定サイズの小さなデータバーストが存在するようになり、各々の固定サイズの小さなデータバーストを介して、サブフレーム内に存在する放送管理メッセージ１５０８、１５１０のそれぞれを定義するための第２放送管理メッセージ定義メッセージ１５０４、１５０６が送信される。
【０１３７】
ここで、第２放送管理メッセージ定義メッセージ１５０４、１５０６は、それぞれ下記の表９のようなＴＬフォーマットから構成される。
【０１３８】
【表９】
2010288275.tif 000011
【０１３９】
ここで、ＴＬフォーマット内のタイプフィールドは、該当放送管理メッセージの種類を表し、ＴＬフォーマット内の長さフィールドは、該当放送管理メッセージのサイズを表す。端末は、第１放送管理メッセージ定義メッセージ１５０２と第２放送管理メッセージ定義メッセージ１５０４、１５０６とを介して、サブフレーム内にどんな放送管理メッセージが、いくつ存在するかを把握でき、これにより、サブフレーム内に存在する各々の放送管理メッセージに対して選択的にデコードを行うことができる。
【０１４０】
図１６は、本発明の第７の実施の形態による無線通信システムにおける複数の放送管理メッセージの同時送信を支援するためのフレームを示す図である。
【０１４１】
図１６に示すように、サブフレームのＡ−ＭＡＰ領域内の非−ユーザ−特定フィールドには、Ａ−ＭＡＰ領域のサイズを指示するための情報と共に、サブフレーム内の放送管理メッセージの存在有無を表すビット（１ビット）１６００が含まれる。ここで、ビット１６００は、図７のビット７００と同じものであり、したがって、ビット１６００についての詳細な説明は省略する。
【０１４２】
サブフレーム内のＡ−ＭＡＰ領域のすぐ次に予め決まった固定サイズの小さなデータバーストが存在し、ビット１６００が「１」の値に設定された場合、固定サイズの小さなデータバーストを介して、固定サイズの小さなデータバーストのすぐ次に存在するデータバーストのサイズを定義するための第１放送管理メッセージ定義メッセージ１６０２が送信される。
【０１４３】
ここで、第１放送管理メッセージ定義メッセージ１６０２は、下記の表１０のようなフォーマットから構成される。
【０１４４】
【表１０】
2010288275.tif 000012
【０１４５】
ここで、第２データバーストのサイズフィールドは、固定サイズの小さなデータバーストのすぐ次に存在するデータバーストのサイズを表す。ここで、固定サイズの小さなデータバーストのすぐ次に存在するデータバーストは、可変サイズを有し、可変サイズの小さなデータバーストを介して、サブフレーム内に存在する放送管理メッセージ１６０６、１６０８を定義するための第２放送管理メッセージ定義メッセージ１６０４が送信される。
【０１４６】
ここで、第２放送管理メッセージ定義メッセージ１６０４は、下記の表１１のようなＴＬフォーマットから構成される。  
【０１４７】
【表１１】
2010288275.tif 000013
【０１４８】
ここで、放送管理メッセージの個数フィールドは、サブフレーム内に存在する放送管理メッセージの個数を表す。タイプフィールドは、放送管理メッセージの種類を表し、長さフィールドは、放送管理メッセージのサイズを表す。ここで、タイプフィールドと長さフィールドとの個数は、放送管理メッセージの個数フィールドに表れているサブフレーム内に存在する放送管理メッセージの個数と同一である。端末は、第１放送管理メッセージ定義メッセージ１６０２と第２放送管理メッセージ定義メッセージ１６０４とを介して、サブフレーム内にどんな放送管理メッセージが、いくつ存在するかを把握でき、これによりサブフレーム内に存在する各々の放送管理メッセージに対して選択的にデコードを行うことができる。
【０１４９】
図１７は、本発明の第８の実施の形態による無線通信システムにおける複数の放送管理メッセージの同時送信を支援するためのフレームを示す図である。
【０１５０】
図１７に示すように、サブフレームのＡ−ＭＡＰ領域内の非−ユーザ−特定フィールドには、Ａ−ＭＡＰ領域のサイズを指示するための情報と共に、サブフレーム内のＡ−ＭＡＰ領域のすぐ次に存在するデータバーストのサイズを表すフィールド１７００が含まれる。ここで、サブフレーム内のＡ−ＭＡＰ領域のすぐ次に存在するデータバーストは、可変サイズを有し、可変サイズの小さなデータバーストを介して、サブフレーム内に存在する放送管理メッセージ１７０４、１７０６を定義するための放送管理メッセージ定義メッセージ１７０２が送信される。ここで、放送管理メッセージ定義メッセージ１７０２は、表１１のようなＴＬフォーマットから構成される。端末は、フィールド１７００に設定された値に応じて、サブフレーム内のＡ−ＭＡＰ領域のすぐ次に存在するデータバーストのサイズを把握できる。また、端末は、放送管理メッセージ定義メッセージ１７０２を介して、サブフレーム内にどんな放送管理メッセージが、いくつ存在するかを把握でき、これによりサブフレーム内に存在する各々の放送管理メッセージに対して選択的にデコードを行うことができる。
【０１５１】
さらに他の実施の形態として、Ａ−ＭＡＰ領域内の非−ユーザ−特定フィールドに放送管理メッセージの存在有無を表すためのビットが存在し、Ａ−ＭＡＰ領域のすぐ次に存在する固定サイズの小さなデータバーストを介して、下記の表１２のようなフォーマットを有する第１放送管理メッセージ定義メッセージが送信されうる。
【０１５２】
【表１２】
2010288275.tif 000014
【０１５３】
ここで、放送管理メッセージの個数フィールドは、サブフレーム内に存在する放送管理メッセージの個数を表す。ビットマップフィールドは、各放送管理メッセージのサブフレーム内の存在有無に対するビットマップを表し、ビットマップ内の各ビットは、対応する放送管理メッセージのサブフレーム内の存在有無を表す。例えば、トラフィック指示メッセージがＭＳＢの第１番目のビットに割り当てられ、ページング広告メッセージが第２番目のビットに割り当てられている場合、ＭＳＢの第１番目のビットが「１」の値に設定されていると、端末は、サブフレーム内のトラフィック指示メッセージが存在することが分かり、第２番目のビットが「１」の値に設定されていると、端末は、サブフレーム内のページング広告メッセージが存在することが分かる。
【０１５４】
そして、固定サイズの小さなデータバーストのすぐ次に存在する可変サイズのデータバーストを介して、下記の表１３のようなフォーマットを有する第２放送管理メッセージ定義メッセージが送信されうる。  
【０１５５】
【表１３】
2010288275.tif 000015
【０１５６】
ここで、端末は、放送管理メッセージの個数フィールドに設定された値に応じて、可変サイズのデータバーストのサイズを計ることができる。長さフィールドは、放送管理メッセージのサイズを表す。第１番目の長さと第２番目の長さは、ビットマップ内において「１」の値に設定されたビットの各々に対応する放送管理メッセージとマッピングされる。例えば、ビットマップが「１１」の値に設定されると、第１番目の長さは、トラフィック指示メッセージの長さを、第２番目の長さは、ページング広告メッセージの長さを意味する。仮に、ビットマップが「１０」の値に設定されると、第１番目の長さは、トラフィック指示メッセージの長さを意味し、第２番目の長さは、トラフィック指示メッセージ及びページング広告メッセージではない他の放送管理メッセージの長さの表示に使用される。仮に、ビットマップが「０１」の値に設定されると、第１番目の長さは、ページング広告メッセージの長さを意味し、第２番目の長さは、トラフィック指示メッセージ及びページング広告メッセージではない他の放送管理メッセージの長さの表示に使用される。
【０１５７】
サブフレーム内にＭＯＢ＿ＮＢＲ−ＡＤＶ、ＳＩＩ−ＡＤＶの同じ放送管理メッセージが存在する場合、スリープモード端末とアイドルモード端末とは、これをデコードしなければならない。したがって、前記のような放送管理メッセージの存在有無を明示的に知らせなくても、端末は、放送管理メッセージをデコードしなければならない。しかしながら、ページング広告メッセージ及びトラフィック指示メッセージの場合、スリープモード端末は、ページング広告メッセージを、アイドルモード端末は、トラフィック指示メッセージを読む必要がない。したがって、表１２のように別途のビットマップを用意して、ページング広告メッセージ及びトラフィック指示メッセージの存在有無を指示できる。
【０１５８】
図２０は、本発明の第９の実施の形態による無線通信システムにおける複数の放送管理メッセージの同時送信を支援するためのフレームを示す図である。
【０１５９】
図２０に示すように、サブフレームのＡ−ＭＡＰ領域内の非−ユーザ−特定フィールド２０００には、Ａ−ＭＡＰ領域のサイズを指示するための情報と共に、Ａ−ＭＡＰ領域に含まれる放送Ａ−ＭＡＰ  ＩＥ２００２、２００４の個数に対する情報が含まれる。
【０１６０】
ここで、Ａ−ＭＡＰ領域に含まれる放送Ａ−ＭＡＰ  ＩＥ２００２、２００４の個数に対する情報は、下記の表１４のようなフォーマットから構成される。  
【０１６１】
【表１４】
2010288275.tif 000016
【０１６２】
ここで、放送Ａ−ＭＡＰ  ＩＥの個数フィールドは、Ａ−ＭＡＰ領域に含まれる放送Ａ−ＭＡＰ  ＩＥの個数を表す。放送Ａ−ＭＡＰ  ＩＥの個数分だけ、放送Ａ−ＭＡＰ  ＩＥがＡ−ＭＡＰ領域に含まれる。ここで、放送Ａ−ＭＡＰ  ＩＥは、該当放送管理メッセージに対する情報を含む。
【０１６３】
ここで、放送Ａ−ＭＡＰ  ＩＥ２００２、２００４は、下記の表１５のようなフォーマットから構成される。  
【０１６４】
【表１５】
2010288275.tif 000017
【０１６５】
ここで、放送Ａ−ＭＡＰ  ＩＥフォーマット内のタイプフィールドは、該当放送管理メッセージの種類を表し、長さフィールドは、該当放送管理メッセージのサイズを表す。
【０１６６】
放送Ａ−ＭＡＰ  ＩＥ２００２、２００４は、Ａ−ＭＡＰ領域内で特定位置を占めることができる。例えば、放送Ａ−ＭＡＰ  ＩＥ２００２、２００４は、非−ユーザ−特定フィールドの直後又は最後のＡ−ＭＡＰ  ＩＥの直後に位置できる。放送Ａ−ＭＡＰ  ＩＥ２００２、２００４は、固定サイズを有し、したがって、端末は、放送Ａ−ＭＡＰ  ＩＥ２００２、２００４の位置及びサイズを把握できる。また、最後のＡ−ＭＡＰ  ＩＥの位置も、非−ユーザ−特定フィールドに含まれるパラメータを介して把握できる。
【０１６７】
サブフレーム内のＡ−ＭＡＰ領域のすぐ次から引き続いて放送管理メッセージ２００６、２００８を送信するためのデータバーストが存在する。すなわち、Ａ−ＭＡＰ領域内の放送Ａ−ＭＡＰ  ＩＥ２００２、２００４の順に、該当放送管理メッセージ２００６、２００８がＡ−ＭＡＰ領域直後のデータバーストに順に位置するようになる。
【０１６８】
図２１は、本発明の第１０の実施の形態による無線通信システムにおける複数の放送管理メッセージの同時送信を支援するためのフレームを示す図である。
【０１６９】
図２１に示すように、サブフレームのＡ−ＭＡＰ領域内の非−ユーザ−特定フィールド２１００には、Ａ−ＭＡＰ領域のサイズを指示するための情報と共に、Ａ−ＭＡＰ領域のすぐ次に位置する放送管理メッセージの個数に対する情報が含まれる。
【０１７０】
ここで、Ａ−ＭＡＰ領域のすぐ次に位置する放送管理メッセージの個数に対する情報は、下記の表１６のようなフォーマットから構成される。  
【０１７１】
【表１６】
2010288275.tif 000018
【０１７２】
ここで、上記の放送管理メッセージの個数フィールドは、Ａ−ＭＡＰ領域の直後に位置する放送管理メッセージの個数を表す。
【０１７３】
図２０のように、Ａ−ＭＡＰ領域内に放送Ａ−ＭＡＰ  ＩＥがいくつか含まれうるが、いくつかの放送Ａ−ＭＡＰ  ＩＥが同一ＭＣＳレベルで送信されるのであれば、これをいくつかの放送Ａ−ＭＡＰ  ＩＥで構成する必要なく、図２１のように一つの放送Ａ−ＭＡＰ  ＩＥ形態で構成できる。すなわち、基地局は、非−ユーザ−特定フィールド２１００に含まれる放送管理メッセージの個数フィールドが指示する分だけ、一つの放送Ａ−ＭＡＰ  ＩＥ２１０２にいくつかの放送管理メッセージに対する情報を一度に含めることができる。
【０１７４】
ここで、一つの放送Ａ−ＭＡＰ  ＩＥ２１０２は、下記の表１７のようなフォーマットから構成される。  
【０１７５】
【表１７】
2010288275.tif 000019
【０１７６】
ここで、放送Ａ−ＭＡＰ  ＩＥフォーマット内のタイプフィールドは、該当放送管理メッセージの種類を表し、長さフィールドは、該当放送管理メッセージのサイズを表す。タイプフィールドと長さフィールドとの個数は、表１６の放送管理メッセージの個数フィールドに現れている放送管理メッセージの個数と同一である。
【０１７７】
放送Ａ−ＭＡＰ  ＩＥ２１０２は、Ａ−ＭＡＰ領域内で特定位置を占めることができる。例えば、放送Ａ−ＭＡＰ  ＩＥ２１０２は、非−ユーザ−特定フィールドの直後又は最後のＡ−ＭＡＰ  ＩＥの直後に位置できる。放送Ａ−ＭＡＰ  ＩＥ２１０２は、固定サイズを有し、したがって、端末は、放送Ａ−ＭＡＰ  ＩＥ２１０２の位置及びサイズを把握できる。また、最後のＡ−ＭＡＰ  ＩＥの位置も、非−ユーザ−特定フィールドに含まれるパラメータを介して把握できる。
【０１７８】
サブフレーム内のＡ−ＭＡＰ領域のすぐ次から引き続いて放送管理メッセージ２１０４、２１０６を送信するためのデータバーストが存在する。すなわち、Ａ−ＭＡＰ領域内の放送Ａ−ＭＡＰ  ＩＥ２１０２のタイプフィールドと長さフィールドとが指示する順に、該当放送管理メッセージ２１０４、２１０６がＡ−ＭＡＰ領域の直後のデータバーストに順に位置するようになる。
【０１７９】
図２２は、本発明の第１１の実施の形態による無線通信システムにおける複数の放送管理メッセージの同時送信を支援するためのフレームを示す図である。
【０１８０】
図２２に示すように、サブフレームのＡ−ＭＡＰ領域内の非−ユーザ−特定フィールドには、Ａ−ＭＡＰ領域のサイズを指示するための情報と共に、非−ユーザ−特定フィールドの次に拡張された非−ユーザ−特定フィールド２２０２が存在するか否かを指示するための非−ユーザ−特定Ａ−ＭＡＰ拡張フラグ２２００（１ビット）が含まれる。非−ユーザ−特定Ａ−ＭＡＰ拡張フラグ２２００が「１」の値に設定されると、非−ユーザ−特定フィールドの直後に拡張された非−ユーザ−特定フィールド２２０２が位置するようになり、これに使用されるＭＣＳは、非−ユーザ−特定フィールドと同一である。一方、非−ユーザ−特定Ａ−ＭＡＰ拡張フラグ２２００が「０」の値に設定されると、非−ユーザ−特定フィールドの次に、拡張された非−ユーザ−特定フィールド２２０２が位置しなくなる。
【０１８１】
拡張された非−ユーザ−特定フィールド２２０２は、一つ以上の放送管理メッセージを送信するための放送バースト２２０４に対する位置及びサイズ情報を含む。結局、拡張された非−ユーザ−特定フィールド２２０２が含まれているか否かを表す非−ユーザ−特定Ａ−ＭＡＰ拡張フラグ２２００（１ビット）は、該当サブフレームでの放送管理メッセージの存在有無を指示するのに使用されるといえる。
【０１８２】
拡張された非−ユーザ−特定フィールド２２０２は、下記の表１８のようなフォーマットから構成される。  
【０１８３】
【表１８】
2010288275.tif 000020
【０１８４】
ここで、拡張された非−ユーザ−特定フィールド２２０２内の資源インデックスフィールドは、放送管理メッセージ（例えば、ＭＯＢ＿ＴＲＦ−ＩＮＤ、ＭＯＢ＿ＰＡＧ−ＡＤＶ、ＭＯＢ＿ＮＢＲ−ＡＤＶ等）を送信するための放送バースト２２０４の位置及びサイズ情報を一度に指示するインデックスを意味する。また、ＭＣＳフィールドは、放送バースト２２０４の送信に要求されるＭＣＳレベルを指示する。仮に、スーパーフレームヘッダに送信されるＭＣＳ情報を利用すると、拡張された非−ユーザ−特定フィールド２２０２内のＭＣＳフィールドは、省略することもできる。
【０１８５】
このように、放送バースト２２０４の位置及びサイズは、拡張された非−ユーザ−特定フィールド２２０２により決定され、放送バースト２２０４を介して一つ以上のＭＡＣ  ＰＤＵ（すなわち、一つ以上の放送管理メッセージ）を送信する。各々のＭＡＣ  ＰＤＵの長さは、該当ＭＡＣ  ＰＤＵを構成するＧＭＨ（Ｇｅｎｅｒｉｃ  ＭＡＣ  Ｈｅａｄｅｒ）の長さフィールドを利用して区分できる。
【０１８６】
一方、上記のように資源インデックスフィールドを利用して、サブフレーム内の任意の位置に放送バーストを割り当てることもできるが、言及された他の実施形態のように、Ａ−ＭＡＰ領域の直後に放送バーストが位置することもできる。また、必ずＡ−ＭＡＰ領域でなくても、特定領域を基準に、順方向又は逆方向に放送バーストが位置することもできる。この場合、拡張された非−ユーザ−特定フィールド２２０２に、資源インデックスフィールドの代わりに、放送バーストの位置情報を除いたサイズ情報のみを含むフィールドを含めることができる。例えば、拡張された非−ユーザ−特定フィールド２２０２は、長さフィールドに代えることもできる。
【０１８７】
また、具現化することによって、いろいろな実施の形態で提案して様々な方法が混用されうる。例えば、拡張された非−ユーザ−特定フィールド２２０２に各々の放送管理メッセージとマッピングされるビットマップが追加されうる。
【０１８８】
一方、図２２の場合、サブフレームのＡ−ＭＡＰ領域内の非−ユーザ−特定フィールドには、Ａ−ＭＡＰ領域のサイズを指示するための情報と共に、非−ユーザ−特定フィールドの次に拡張された非−ユーザ−特定フィールド２２０２が存在するか否かを指示するための非−ユーザ−特定Ａ−ＭＡＰ拡張フラグ２２００（１ビット）が含まれる。非−ユーザ−特定Ａ−ＭＡＰ拡張フラグ２２００が「１」の値に設定されると、非−ユーザ−特定フィールドの直後に拡張された非−ユーザ−特定フィールド２２０２が位置するようになり、それによって、拡張された非−ユーザ−特定フィールド２２０２に続くユーザ−特定フィールド内のＡ−ＭＡＰ  ＩＥは、拡張された非−ユーザ−特定フィールド２２０２のサイズだけ後ろに押し出されるようになる。このように、非−ユーザ−特定Ａ−ＭＡＰ拡張フラグ２２００（１ビット）によってユーザ−特定フィールド内のＡ−ＭＡＰ  ＩＥの位置が変わりうる。
【０１８９】
一方、非−ユーザ−特定フィールドにエラーが発生することがある。すなわち、チャネル状態に応じてビットエラーが発生することがある。仮に、非−ユーザ−特定Ａ−ＭＡＰ拡張フラグ２２００（１ビット）にエラーが発生すると、端末の立場では、ユーザ−特定フィールド内のＡ−ＭＡＰ  ＩＥのスタートポイント、すなわち第１番目のＡ−ＭＡＰ  ＩＥ（図２２において、Ａ−ＭＡＰ  ＩＥ＃１）の位置を誤って把握するようになるので、ユーザ−特定フィールド内のＡ−ＭＡＰ  ＩＥに対する検出を正しく行うことができなくなる。
【０１９０】
したがって、本発明による他の実施の形態として、非−ユーザ−特定Ａ−ＭＡＰ拡張フラグ２２００（１ビット）と拡張された非−ユーザ−特定フィールド２２０２とを使用せずにエラーの有無を把握できるＡ−ＭＡＰ  ＩＥ形態の放送Ａ−ＭＡＰ  ＩＥを提案し、以下、図２３にて詳細に説明する。
【０１９１】
図２３は、本発明の第１２の実施の形態による無線通信システムにおける複数の放送管理メッセージの同時送信を支援するためのフレームを示す図である。
【０１９２】
図２３に示すように、サブフレームのＡ−ＭＡＰ領域内の非−ユーザ−特定フィールドには、Ａ−ＭＡＰ領域のサイズを指示するための情報が含まれ、ユーザ−特定フィールドには、複数のＡ−ＭＡＰ  ＩＥが含まれる。ユーザ−特定フィールドに含まれる複数のＡ−ＭＡＰ  ＩＥのうち、第１番目のＡ−ＭＡＰ  ＩＥ（図２３において、Ａ−ＭＡＰ  ＩＥ＃１）２３００は、放送Ａ−ＭＡＰ  ＩＥ又はユニキャストＡ−ＭＡＰ  ＩＥ（例えば、５６ビット）から構成される。その他、残りのＡ−ＭＡＰ  ＩＥは、該当サブフレームの残りの領域に送信されるデータバーストの割り当て情報を含むユニキャストＡ−ＭＡＰ  ＩＥから構成される。
【０１９３】
一方、現在１６ｍにおいてＡ−ＭＡＰ  ＩＥに使用しうる最小符号化率（Ｃｏｄｉｎｇ  Ｒａｔｅ）は、１／８である。しかしながら、これは、１６ｅにおいてＡ−ＭＡＰ  ＩＥに使用しうる最小符号化率１／１２に大きく及ばない。これによって、１６ｍでのＡ−ＭＡＰ  ＩＥは、セル境界（Ｃｅｌｌ  ｅｄｇｅ）にある端末へ送信するのに無理がある。したがって、本発明による実施の形態では、送信しようとするデータに対して複数の繰り返し（Ｒｅｐｅｔｉｔｉｏｎ）を加えて放送Ａ−ＭＡＰ  ＩＥを生成する方案を提案する。すなわち、繰り返しにより、最小符号化率１／８を補完して１／１２以上が可能なように変更する。ここで、繰り返しの回数は、放送Ａ−ＭＡＰ  ＩＥ２３０２内の資源割り当て情報フィールドのサイズに応じて決定（例えば、２回）される。ここで、資源割り当て情報フィールドは、放送バースト２３０４の位置及びサイズを指示する。例えば、資源割り当て情報フィールドのサイズが１２ビットである場合、ＣＲＣ（例えば、１６ビットサイズ）フィールドを追加して、２８ビットの放送Ａ−ＭＡＰ  ＩＥ２３０２を生成できる。ここで、シンボルあるいはビットレベルにおいて２回の繰り返しを行うと、１６８トーン（ｔｏｎｅ）になって、符号化率１／８を使用する他のＡ−ＭＡＰ  ＩＥと同じサイズを有するようになる。仮に、資源割り当て情報フィールド（例えば、１２ビットサイズ）とＣＲＣ（例えば、１６ビットサイズ）フィールドの長さが５６ビットの約数にならない場合、例えば２８ビットより小さくなった場合、放送Ａ−ＭＡＰ  ＩＥ２３０２内の残るビットにいろいろな実施の形態で提案した機能の一部を表すパラメータが含まれることもできる。例えば、放送管理メッセージの種類に対する情報として、放送バーストにスリープモード端末用トラフィック指示メッセージの存在有無、アイドルモード端末用ページング広告メッセージの存在有無、その他のメッセージの存在有無を指示するための各々の１ビットが含まれることもできる。
【０１９４】
放送Ａ−ＭＡＰ  ＩＥ２３０２は、下記の表１９のようなフォーマットから構成される。  
【０１９５】
【表１９】
2010288275.tif 000021
【０１９６】
ここで、放送Ａ−ＭＡＰ  ＩＥ２３０２内の資源割り当て情報フィールドは、放送バースト２３０４の位置及びサイズを指示する。ＣＲＣフィールドは、放送Ａ−ＭＡＰ  ＩＥ２３０２のエラー有無を把握するためのビットであり、例えば、１６ビットのサイズを有することができる。
【０１９７】
放送Ａ−ＭＡＰ  ＩＥ２３０２のサイズは、ユニキャストＡ−ＭＡＰ  ＩＥサイズの約数になり、ユニキャストＡ−ＭＡＰ  ＩＥと同じトーン数を有するように繰り返される。しかしながら、ユニキャストＡ−ＭＡＰ  ＩＥは、端末の固有の識別子であるＳＴＩＤ（Ｓｔａｔｉｏｎ  ＩＤ）を利用して基地局によりスクランブルされ、該当端末がユニキャストＡ−ＭＡＰ  ＩＥをＳＴＩＤでディスクランブルして、端末自身のためのＡ−ＭＡＰ  ＩＥであるか否かを区分する。これとは異なり、放送Ａ−ＭＡＰ  ＩＥは、すべての端末が受信しなければならないＩＥであるから、端末固有のＳＴＩＤではない、放送用ＳＴＩＤ（例えば、０ｘｆｆｆｆ）を使用して基地局によりスクランブルされ、すべての端末が放送Ａ−ＭＡＰ  ＩＥを放送用ＳＴＩＤでディスクランブルする。
【０１９８】
既に言及したように、放送Ａ−ＭＡＰ  ＩＥは、ユーザ−特定フィールドに含まれる複数のＡ−ＭＡＰ  ＩＥのうち、第１番目のＡ−ＭＡＰ  ＩＥ（図２３において、Ａ−ＭＡＰ  ＩＥ＃１２３００）に位置できる。すなわち、該当サブフレームを介して送信する放送管理メッセージが存在する場合、基地局は、該当放送管理メッセージを送信するための放送バーストに対する位置及びサイズ情報をすべての端末に知らせるために、第１番目のＡ−ＭＡＰ  ＩＥ２３００の位置にユニキャストＡ−ＭＡＰ  ＩＥの代わりに放送Ａ−ＭＡＰ  ＩＥを含める。仮に、該当サブフレームを介して送信する放送管理メッセージが存在しない場合、基地局は、第１番目のＡ−ＭＡＰ  ＩＥ２３００の位置からユニキャストＡ−ＭＡＰ  ＩＥを含める。
【０１９９】
端末の立場では、第１番目のＡ−ＭＡＰ  ＩＥ２３００の位置に放送Ａ−ＭＡＰ  ＩＥが含まれたのか、ユニキャストＡ−ＭＡＰ  ＩＥが含まれたのかが分からず、したがって、一旦決まった繰り返し回数とチャネル符号化率とを利用して復号し、放送用ＳＴＩＤを利用して第１番目のＡ−ＭＡＰ  ＩＥ２３００をディスクランブルしてみる。仮に、その結果、放送Ａ−ＭＡＰ  ＩＥが成功して検出されると、端末は、該当放送Ａ−ＭＡＰ  ＩＥを利用して放送バーストの位置及びサイズを把握し、把握された位置及びサイズに基づいて該当サブフレーム内から放送管理メッセージを抽出する。仮に、放送Ａ−ＭＡＰ  ＩＥが成功せずに検出されないと、端末は、該当Ａ−ＭＡＰ  ＩＥが端末自身にユニキャストに送信されたＡ−ＭＡＰ  ＩＥであるか否かを把握するために、端末自身がネットワークエントリー（Ｎｅｔｗｏｒｋ  Ｅｎｔｒｙ）過程において割り当てられた固有のＳＴＩＤを利用して、該当Ａ−ＭＡＰ  ＩＥをディスクランブルする。参考に、アイドルモード端末は、基地局からユニキャストＡ−ＭＡＰ  ＩＥを受信する理由がないので、放送Ａ−ＭＡＰ  ＩＥが存在しているかを把握するために、第１番目のＡ−ＭＡＰ  ＩＥ２３００に対して、放送用ＳＴＩＤを利用したディスクランブルリングのみを行うようになる。
【０２００】
他の実施の形態として、図２３にてサブフレームのＡ−ＭＡＰ領域内の非−ユーザ−特定フィールドにＡ−ＭＡＰ領域のサイズを指示するための情報と共に、ユーザ−特定フィールドに放送Ａ−ＭＡＰ  ＩＥが存在するか否かを指示するためのフラグ（１ビット）が含まれうる。すなわち、ユーザ−特定フィールドに含まれる複数のＡ−ＭＡＰ  ＩＥのうち、第１番目のＡ−ＭＡＰ  ＩＥ（図２３において、Ａ−ＭＡＰ  ＩＥ＃１）２３００が放送Ａ−ＭＡＰ  ＩＥから構成されるか否かを指示するためのフラグ（１ビット）が含まれうる。この場合、フラグが「１」の値に設定されると、ユーザ−特定フィールドに含まれる複数のＡ−ＭＡＰ  ＩＥのうち、第１番目のＡ−ＭＡＰ  ＩＥ（図２３において、Ａ−ＭＡＰ  ＩＥ＃１）２３００が放送Ａ−ＭＡＰ  ＩＥから構成され、したがって、端末は、放送用ＳＴＩＤを利用して第１番目のＡ−ＭＡＰ  ＩＥ２３００をディスクランブルし、これにより把握された放送バーストの位置及びサイズに基づいて、該当サブフレーム内から放送管理メッセージを抽出する。一方、フラグが「０」の値に設定されると、ユーザ−特定フィールドに含まれる複数のＡ−ＭＡＰ  ＩＥのうち、第１番目のＡ−ＭＡＰ  ＩＥ（図２３において、Ａ−ＭＡＰ  ＩＥ＃１）２３００がユニキャストＡ−ＭＡＰ  ＩＥから構成され、したがって、端末は、ネットワークエントリー過程で割り当てられた固有のＳＴＩＤを利用して、該当Ａ−ＭＡＰ  ＩＥをディスクランブルする。
【０２０１】
また、具現化することによって、いろいろな実施の形態で提案して様々な方法が混用されうる。例えば、放送Ａ−ＭＡＰ  ＩＥ２３０２に放送管理メッセージの種類に対する情報として、各々の放送管理メッセージとマッピングされるビットマップが追加されうる。
【０２０２】
一方、本発明による大部分の実施の形態では、既定の固定サイズの小さなデータバーストをデコードするのに必要なＭＣＳレベルが予め決定されていると仮定しており、放送管理メッセージが送信されるデータバーストをデコードするのに必要なＭＣＳレベルもやはり予め決定されていると仮定している。仮に、ＭＣＳレベルが予め決定されていないと仮定すると、本発明で提案する放送管理メッセージ定義メッセージに、対応する放送管理メッセージの送信に使用されるＭＣＳレベルを表すＭＣＳ情報フィールドがさらに含まれなければならない。
【０２０３】
また、本発明による大部分の実施の形態では、放送管理メッセージ定義メッセージにタイプフィールドが含まれている。タイプフィールドは、放送管理メッセージの種類を表すものであって、端末は、タイプフィールドを確認することによって不要な放送管理メッセージのデコードを行わない、選択的なデコードを行うことができる。放送管理メッセージ定義メッセージにおいてタイプフィールドは省略でき、この場合、端末は、長さフィールドを利用して各放送管理メッセージのサイズを確認した後、各放送管理メッセージ内の該当放送管理メッセージのペイロード内の前方に位置したメッセージタイプフィールドを利用して、放送管理メッセージを区分できる。
【０２０４】
また、本発明による大部分の実施の形態では、放送管理メッセージ定義メッセージに長さフィールドが含まれている。長さフィールドは、放送管理メッセージの長さを表すものであって、端末は、長さフィールドを確認することによって各々の放送管理メッセージの長さを把握できる。しかしながら、放送管理メッセージを送信するために必要なＭＣＳレベルが決定されている場合であれば、逆に放送管理メッセージを送信するための資源（すなわち、データバースト）のサイズを導き出すことができる。したがって、実際の放送管理メッセージを送信するデータバーストのサイズ情報を長さフィールドの代わりに含めることができる。例えば、放送管理メッセージ定義メッセージに長さフィールドの代わりに必要なＬＲＵ（Ｌｏｇｉｃａｌ  Ｒｅｓｏｕｒｃｅ  Ｕｎｉｔ）の個数に対する情報を含めることができる。
【０２０５】
図１８は、本発明による無線通信システムにおける基地局の構成を示すブロック図である。
【０２０６】
図示するように、基地局は、スケジューラ１８００、データパケット生成器１８０２、Ａ−ＭＡＰメッセージ生成器１８０４、放送管理メッセージ定義メッセージ生成器１８０６、放送管理メッセージ生成器１８０８、多重化器（ＭＵＸ）１８１０、符号器１８１２、変調器１８１４、フレームマッパー１８１６、ＯＦＤＭ変調器１８１８、ＲＦ送信機１８２０を備えて構成される。
【０２０７】
図１８に示すように、スケジューラ１８００は、フレーム通信のための資源スケジューリングを行う。
【０２０８】
データパケット生成器１８０２は、スケジューラ１８００の資源スケジューリング結果に応じて、送信するデータパケットを生成して出力する。
【０２０９】
Ａ−ＭＡＰメッセージ生成器１８０４は、スケジューラ１８００の資源スケジューリング結果に応じて、資源割り当て情報を含むＡ−ＭＡＰ  ＩＥを生成して出力する。Ａ−ＭＡＰメッセージ生成器１８０４は、本発明の一つの実施の形態にしたがって、該当サブフレームを介して送信する放送管理メッセージが存在する場合、ユーザ−特定フィールドに含まれる複数のＡ−ＭＡＰ  ＩＥのうち、第１番目のＡ−ＭＡＰ  ＩＥを放送Ａ−ＭＡＰ  ＩＥから構成して出力できる。これにより、端末は、放送Ａ−ＭＡＰ  ＩＥを介して該当放送管理メッセージを送信するための放送バーストの割り当て情報（すなわち、位置及びサイズに対する情報）が分かる。
【０２１０】
放送管理メッセージ定義メッセージ生成器１８０６は、本発明の一つの実施の形態にしたがって、放送管理メッセージ生成器１８０８により生成された放送管理メッセージを定義するための放送管理メッセージ定義メッセージを生成して出力する。また、放送管理メッセージ定義メッセージ生成器１８０６は、本発明の他の一つの実施の形態によって、放送管理メッセージを定義するための短いビットの情報をＡ−ＭＡＰメッセージ生成器１８０４に提供して、Ａ−ＭＡＰメッセージ生成器１８０４にＡ−ＭＡＰ  ＩＥと共に短いビットの情報を出力させるようにすることができる。
【０２１１】
放送管理メッセージ生成器１８０８は、スケジューラ１８００の資源スケジューリング結果に応じて、放送管理メッセージの送信が要求されると判断される場合、該当放送管理メッセージを生成して出力する。
【０２１２】
多重化器１８１０は、データパケット生成器１８０２、Ａ−ＭＡＰメッセージ生成器１８０４、放送管理メッセージ定義メッセージ生成器１８０６、放送管理メッセージ生成器１８０８からのメッセージ（あるいはパケット）を物理階層の符号器１８１２に伝達する。
【０２１３】
物理階層の符号器１８１２は、多重化器１８１０からのメッセージ（あるいはパケット）を決まった符号方式（例：符号種類、符号率等）に従って符号化する。
【０２１４】
変調器１８１４は、符号器１８１２からの符号ビットを変調方式に従って変調して、変調シンボルを発生する。
【０２１５】
フレームマッパー１８１６は、変調器１８１４からの変調シンボルを予め決まったフレーム構造に応じて整列し、整列されたフレームデータをＯＦＤＭ変調器１８１８に出力する。
【０２１６】
ＯＦＤＭ変調器１８１８は、フレームマッパー１８１６からのデータをＯＦＤＭ変調して時間領域のサンプルデータを発生する。ここで、ＯＦＤＭ変調は、ＩＦＦＴ演算、ＣＰ付加などを含む。
【０２１７】
ＲＦ送信機１８２０は、ＯＦＤＭ変調器１８１８からのサンプルデータをアナログ信号に変換し、変換されたアナログ信号をＲＦ帯域の信号に変換してアンテナを介して送信する。
【０２１８】
図１９は、本発明による無線通信システムにおける端末の構成を示すブロック図である。
【０２１９】
図示のように、端末は、ＲＦ受信機１９００、ＯＦＤＭ復調器１９０２、フレームデマッパー１９０４、復調器１９０６、復号器１９０８、逆多重化器（ＤＥＭＵＸ）１９１０、データパケット処理器１９１２、Ａ−ＭＡＰメッセージ解析器１９１４、放送管理メッセージ定義メッセージ解析器１９１６、放送管理メッセージ処理器１９１８を備えて構成される。
【０２２０】
図１９に示すように、ＲＦ受信機１９００は、受信されるＲＦ帯域の信号をベースバンド信号に変換し、該変換されたベースバンド信号をデジタルサンプルデータに変換して出力する。
【０２２１】
ＯＦＤＭ復調器１９０２は、ＲＦ受信機１９００からのサンプルデータをＯＦＤＭ復調して、周波数領域のデータを出力する。ここで、ＯＦＤＭ復調は、ＣＰ除去、ＦＦＴ演算などを含む。
【０２２２】
フレームデマッパー１９０４は、ＯＦＤＭ復調器１９０２からのフレームデータからパケット（制御情報パケット、データパケット等）を抽出し、該抽出されたパケットを整列して出力する。
【０２２３】
復調器１９０６は、フレームデマッパー１９０４からのパケットを復調して出力する。
【０２２４】
復号器１９０８は、復調器１９０６からの復調されたデータをデコードして出力する。
【０２２５】
逆多重化器１９１０は、復号器１９０８からの復号データをデータパケット処理器１９１２、Ａ−ＭＡＰメッセージ解析器１９１４、放送管理メッセージ定義メッセージ解析器１９１６、放送管理メッセージ処理器１９１８に伝達する。
【０２２６】
データパケット処理器１９１２は、逆多重化器１９１０からのデータパケットを規定されたプロトコルに従って処理する。
【０２２７】
Ａ−ＭＡＰメッセージ解析器１９１４は、逆多重化器１９１０からのＡ−ＭＡＰ  ＩＥを規格に従って解析し、これを通じて獲得した資源割り当て情報をデータパケット処理器１９１２に提供する。このとき、データパケット処理器１９１２は、資源割り当て情報を利用して、データバーストから自身のデータパケットを抽出できる。Ａ−ＭＡＰメッセージ解析器１９１４は、本発明の一つの実施の形態に従って、まず放送用ＳＴＩＤを利用してユーザ−特定フィールドに含まれる複数のＡ−ＭＡＰ  ＩＥのうち、第１番目のＡ−ＭＡＰ  ＩＥをディスクランブルする。仮に、放送用ＳＴＩＤを利用してディスクランブルした結果、放送Ａ−ＭＡＰ  ＩＥが成功して検出されると、Ａ−ＭＡＰメッセージ解析器１９１４は、該当放送Ａ−ＭＡＰ  ＩＥを利用して放送バーストの割り当て情報（すなわち、位置及びサイズに対する情報）を獲得し、該獲得した放送バーストの割り当て情報を放送管理メッセージ処理器１９１８に提供する。このとき、放送管理メッセージ処理器１９１８は、放送バーストの割り当て情報（すなわち、位置及びサイズに対する情報）に基づいて該当サブフレーム内から放送管理メッセージを抽出できる。仮に、ディスクランブルした結果、放送Ａ−ＭＡＰ  ＩＥが成功せずに検出されないと、Ａ−ＭＡＰメッセージ解析器１９１４は、ネットワークエントリー（Ｎｅｔｗｏｒｋ  Ｅｎｔｒｙ）過程で割り当てられた端末固有のＳＴＩＤを利用して、該当Ａ−ＭＡＰ  ＩＥをディスクランブルする。仮に、端末固有のＳＴＩＤを利用してディスクランブルした結果、該当Ａ−ＭＡＰ  ＩＥが成功して検出されると、Ａ−ＭＡＰメッセージ解析器１９１４は、該当Ａ−ＭＡＰ  ＩＥを利用して獲得した資源割り当て情報をデータパケット処理器１９１２に提供する。このとき、データパケット処理器１９１２は、資源割り当て情報を利用して、データバーストから自身のデータパケットを抽出できる。
【０２２８】
放送管理メッセージ定義メッセージ解析器１９１６は、本発明の一つの実施の形態に従って、逆多重化器１９１０からの放送管理メッセージ定義メッセージを解析し、これを通じて獲得した放送管理メッセージ関連情報を放送管理メッセージ処理器１９１８に提供する。このとき、放送管理メッセージ処理器１９１８は、放送管理メッセージ関連情報を利用して、データバーストから受信が必要な放送管理メッセージを抽出できる。
【０２２９】
放送管理メッセージ処理器１９１８は、逆多重化器１９１０からの放送管理メッセージを処理する。
【０２３０】
上述したように、本発明は、無線通信システムにおいてユーザ−特定フィールドに含まれる複数のＡ−ＭＡＰ  ＩＥのうち、第１番目のＡ−ＭＡＰ  ＩＥを放送Ａ−ＭＡＰ  ＩＥから構成し、放送Ａ−ＭＡＰ  ＩＥを介して放送バーストの割り当て情報（すなわち、位置及びサイズに対する情報）を指示することによって、端末がサブフレーム内の放送管理メッセージを送信するための放送バーストの位置及びサイズを把握できるという利点がある。これにより、少ないオーバーヘッドで複数の放送管理メッセージの同時送信が可能になる。
【０２３１】
一方、本発明の詳細な説明では具体的な実施の形態について説明したが、本発明の範囲から逸脱しない範囲内で多様な変形が可能である。したがって、本発明の範囲は、上述の実施の形態に限って決まらず、後述の特許請求の範囲だけでなく、特許請求の範囲と均等なものによって決まらなければならない。
【図１】
2010288275.tif 000022
【図２】
2010288275.tif 000023
【図３】
2010288275.tif 000024
【図４】
2010288275.tif 000025
【図５】
2010288275.tif 000026
【図６】
2010288275.tif 000027
【図７】
2010288275.tif 000028
【図８】
2010288275.tif 000029
【図９】
2010288275.tif 000030
【図１０】
2010288275.tif 000031
【図１１】
2010288275.tif 000032
【図１２】
2010288275.tif 000033
【図１３】
2010288275.tif 000034
【図１４】
2010288275.tif 000035
【図１５】
2010288275.tif 000036
【図１６】
2010288275.tif 000037
【図１７】
2010288275.tif 000038
【図１８】
2010288275.tif 000039
【図１９】
2010288275.tif 000040
【図２０】
2010288275.tif 000041
【図２１】
2010288275.tif 000042
【図２２】
2010288275.tif 000043
【図２３】
2010288275.tif 000044